(57)【要約】      （修正有）【課題】移動局がマスター基地局およびセカンダリ基地局の両方に接続されている状況において電力制御を効率的に実行する方法を提供する。【解決手段】移動局は、第１の無線リンクを介してマスター基地局に接続可能であり、かつ、第２の無線リンクを介して少なくとも１つのセカンダリ基地局に接続可能である。移動局は、マスター基地局との間の第１の無線リンクの第１の電力ヘッドルーム報告を計算し、計算された第１の電力ヘッドルーム報告を、セカンダリ基地局との間の第２の無線リンクのパスロスに関する情報をマスター基地局が決定することを可能にする情報とともに、マスター基地局に送信する。移動局は、セカンダリ基地局との間の第２の無線リンクの第２の電力ヘッドルーム報告を計算し、計算された第２の電力ヘッドルーム報告をセカンダリ基地局に送信する。【選択図】図２１
2018191330.tif 000002
【特許請求の範囲】
【請求項１】
移動通信システムにおいて電力ヘッドルーム報告が可能な移動局を制御する集積回路であって、前記移動局は、第１の無線リンクを介してマスター基地局に接続可能であり、かつ、第２の無線リンクを介して少なくとも１つのセカンダリ基地局に接続可能であり、
前記移動局と前記マスター基地局との間の前記第１の無線リンクの第１の電力ヘッドルーム報告を前記移動局によって計算する処理と、
前記計算された第１の電力ヘッドルーム報告を、前記移動局と前記セカンダリ基地局との間の前記第２の無線リンクのパスロスに関する情報を前記マスター基地局が決定することを可能にする情報とともに、前記移動局から前記マスター基地局に送信する処理と、
前記移動局と前記セカンダリ基地局との間の前記第２の無線リンクの第２の電力ヘッドルーム報告を前記移動局によって計算し、前記計算された第２の電力ヘッドルーム報告を前記移動局から前記セカンダリ基地局に送信する処理と、
を制御する、
集積回路。
【請求項２】
前記マスター基地局が前記パスロスに関する前記情報を決定するときに基づく前記情報が、前記移動局と前記セカンダリ基地局との間の前記第２の無線リンクのセカンダリ仮想電力ヘッドルーム報告の形で送信され、
前記セカンダリ基地局への前記第２の無線リンクを対象に事前に設定される仮想アップリンクリソース割当てに基づいて、前記移動局と前記セカンダリ基地局との間の前記第２の無線リンクの前記セカンダリ仮想電力ヘッドルーム報告を、前記移動局によって計算する処理、
をさらに制御する、
請求項１に記載の集積回路。
【請求項３】
前記マスター基地局と前記セカンダリ基地局との間での、前記移動局の利用可能な最大送信電力の初期分配を、前記マスター基地局によって決定する処理であって、前記マスター基地局へのアップリンク送信用の前記移動局の最大出力電力（ＰＥＭＡＸ，ＭｅＮＢ）と、前記セカンダリ基地局へのアップリンク送信用の前記移動局の最大出力電力（ＰＥＭＡＸ，ＳｅＮＢ）と、を決定する処理と、
前記セカンダリ基地局へのアップリンク送信用の前記移動局の前記決定された最大出力電力（ＰＥＭＡＸ，ＳｅＮＢ）を、前記マスター基地局と前記セカンダリ基地局との間のインタフェースを介して送信されるシグナリングメッセージにおいて、前記マスター基地局から前記セカンダリ基地局に送信する処理と、
前記マスター基地局へのアップリンク送信用の前記移動局の前記決定された最大出力電力（ＰＥＭＡＸ，ＭｅＮＢ）と、前記セカンダリ基地局へのアップリンク送信用の前記移動局の前記決定された最大出力電力（ＰＥＭＡＸ，ＳｅＮＢ）とを、無線リソース制御（ＲＲＣ）メッセージにおいて、またはメディアアクセス制御（ＭＡＣ）制御エレメントにおいて、前記マスター基地局から前記移動局に送信する処理、または、
前記マスター基地局へのアップリンク送信用の前記移動局の前記決定された最大出力電力（ＰＥＭＡＸ，ＭｅＮＢ）を、無線リソース制御（ＲＲＣ）メッセージにおいて、またはメディアアクセス制御（ＭＡＣ）制御エレメントにおいて、前記マスター基地局から前記移動局に送信し、前記セカンダリ基地局へのアップリンク送信用の前記移動局の前記決定された最大出力電力（ＰＥＭＡＸ，ＳｅＮＢ）を、前記セカンダリ基地局から前記移動局に送信する処理、
をさらに制御する、
請求項１または２に記載の集積回路。
【請求項４】
前記移動局が前記移動局と前記セカンダリ基地局との間の前記第２の無線リンクがアップリンクにおいて非アクティブになることを認識したとき、前記第２の無線リンクがアップリンクにおいて非アクティブになることに関する情報を前記移動局が前記マスター基地局に提供し、
前記第２の無線リンクがアップリンクにおいて非アクティブになることに関する前記情報が、
前記移動局と前記マスター基地局との間の前記第１の無線リンクの前記第１の電力ヘッドルーム報告の中の、所定の値を有するビットフラグ、または、
前記移動局と前記セカンダリ基地局との間の前記第２の無線リンクの前記セカンダリ仮想電力ヘッドルーム報告の中の、所定の値を有するビットフラグ、または、
前記移動局と前記セカンダリ基地局との間の前記第２の無線リンクの前記セカンダリ仮想電力ヘッドルーム報告の所定の電力ヘッドルーム値、
の形で、前記マスター基地局に提供される、
請求項１から３のいずれかに記載の集積回路。
【請求項５】
前記第２の無線リンクがアップリンクにおいて非アクティブであることが予測される時間長を前記移動局によって決定する処理と、
前記決定された時間長が所定の時間長を超える場合にのみ、前記第２の無線リンクがアップリンクにおいて非アクティブになることに関する情報を前記移動局が前記マスター基地局に提供する前記処理、を制御する、
請求項４に記載の集積回路。
【請求項６】
前記第２の無線リンクがアップリンクにおいて非アクティブになることに関する前記情報が、前記移動局と前記セカンダリ基地局との間の前記第２の無線リンクの前記セカンダリ仮想電力ヘッドルーム報告の所定の電力ヘッドルーム値の形で、前記マスター基地局に提供され、
前記所定の電力ヘッドルーム値は、前記第２の無線リンクがアップリンクにおいて非アクティブであることが前記移動局によって予測される時間長に関する時間情報を符号化する所定の負の値である、
請求項４または５に記載の集積回路。
【請求項７】
前記マスター基地局と前記セカンダリ基地局の間での、前記移動局の前記利用可能な最大送信電力の更新された分配を、前記第２の無線リンクがアップリンクにおいて非アクティブになることに関する前記受信された情報、に基づいて、前記マスター基地局によって決定する処理であって、少なくとも、前記マスター基地局へのアップリンク送信用の前記移動局の前記最大出力電力の更新された値（ＰＥＭＡＸ，ＭｅＮＢ）を決定する処理と、
前記マスター基地局へのアップリンク送信用の前記移動局の前記更新された最大出力電力（ＰＥＭＡＸ，ＭｅＮＢ）を、前記マスター基地局によって前記移動局に送信する処理と、
をさらに制御する、
請求項４から６のいずれかに記載の集積回路。
【請求項８】
前記移動局が前記移動局と前記マスター基地局との間の前記第１の無線リンクがアップリンクにおいて非アクティブになることを認識したとき、前記第１の無線リンクがアップリンクにおいて非アクティブになることに関する情報を前記移動局が前記セカンダリ基地局に提供し、
前記第１の無線リンクがアップリンクにおいて非アクティブになることに関する前記情報が、
前記移動局と前記セカンダリ基地局との間の前記第２の無線リンクの前記第２の電力ヘッドルーム報告の中の、所定の値を有するビットフラグ、または、
前記移動局と前記セカンダリ基地局との間の前記第２の無線リンクの前記セカンダリ仮想電力ヘッドルーム報告の中の、所定の値を有するビットフラグ、または、
前記移動局と前記セカンダリ基地局との間の前記第２の無線リンクの前記セカンダリ仮想電力ヘッドルーム報告の所定の電力ヘッドルーム値、
の形で、前記セカンダリ基地局に提供される、
請求項１から７のいずれかに記載の集積回路。
【請求項９】
前記第１の無線リンクがアップリンクにおいて非アクティブであることが予測される時間長を前記移動局によって決定する処理と、
前記決定した時間長が所定の時間長を超える場合にのみ、前記第１の無線リンクがアップリンクにおいて非アクティブになることに関する情報を前記移動局が前記セカンダリ基地局に提供する前記処理、を制御する、
請求項８に記載の集積回路。
【請求項１０】
前記第１の無線リンクがアップリンクにおいて非アクティブになることに関する前記情報が、前記移動局と前記セカンダリ基地局との間の前記第２の無線リンクの前記セカンダリ仮想電力ヘッドルーム報告の所定の電力ヘッドルーム値の形で、前記セカンダリ基地局に提供され、
前記所定の電力ヘッドルーム値が、前記第１の無線リンクがアップリンクにおいて非アクティブであることが前記移動局によって予測される時間長に関する時間情報を符号化する所定の負の値である、
請求項８または９に記載の集積回路。
【発明の詳細な説明】
【技術分野】
【０００１】
本開示は、改良された電力ヘッドルーム報告および電力分配制御を実行する集積回路を提供する。
【背景技術】
【０００２】
ロングタームエボリューション（ＬＴＥ）
ＷＣＤＭＡ（登録商標）無線アクセス技術をベースとする第３世代の移動通信システム（３Ｇ）は、世界中で広範な規模で配備されつつある。この技術を機能強化または発展・進化させる上での最初のステップとして、ＨＳＤＰＡ（High-Speed Downlink Packet Access）と、エンハンストアップリンク（ＨＳＵＰＡ(High Speed Uplink Packet Access）とも称する）とが導入され、これにより、極めて競争力の高い無線アクセス技術が提供されている。
【０００３】
ユーザからのますます増大する需要に対応し、新しい無線アクセス技術に対する競争力を確保する目的で、３ＧＰＰは、ＬＴＥ（Long Term Evolution）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００４】
ＬＴＥ（ロングタームエボリューション）に関するwork item（ＷＩ）の仕様は、Ｅ−ＵＴＲＡ（Evolved UMTS Terrestrial Radio Access（ＵＴＲＡ））およびＥ−ＵＴＲＡＮ（Evolved UMTS Terrestrial Radio Access Network（ＵＴＲＡＮ））と称され、最終的にリリース８（ＬＴＥリリース８）として公開される。ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１．４ＭＨｚ、３．０ＭＨｚ、５．０ＭＨｚ、１０．０ＭＨｚ、１５．０ＭＨｚ、および２０．０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ:Multipath Interference）を受けにくく、また、サイクリックプレフィックス（ＣＰ）を使用しており、さらに、さまざまな送信帯域幅の構成に対応可能だからである。アップリンクには、ＳＣ−ＦＤＭＡ（Single-Carrier Frequency Division Multiple Access）をベースとする無線アクセスが採用されている。なぜなら、ユーザ機器（ＵＥ）の送信出力が限られていることを考えれば、ピークデータレートを向上させるよりも広いカバレッジエリアを提供することが優先されるからである。ＬＴＥリリース８／９では、数多くの主要なパケット無線アクセス技術（例えば、ＭＩＭＯ（Multiple-Input Multiple-Output）チャネル伝送技術）が採用され、高効率の制御シグナリング構造が達成されている。
【０００５】
ＬＴＥのアーキテクチャ
図１は、ＬＴＥの全体的なアーキテクチャを示し、図２は、Ｅ−ＵＴＲＡＮのアーキテクチャをより詳細に示している。Ｅ−ＵＴＲＡＮは、ｅＮｏｄｅＢから構成され、ｅＮｏｄｅＢは、ＵＥ向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮｏｄｅＢ（ｅＮＢ）は、物理（ＰＨＹ）レイヤ、メディアアクセス制御（ＭＡＣ:Media Access Control）レイヤ、無線リンク制御（ＲＬＣ：Radio Link Control）レイヤ、およびパケットデータ制御プロトコル（ＰＤＣＰ：Packet Data Control Protocol）レイヤ（これらのレイヤはユーザプレーンのヘッダ圧縮および暗号化の機能を含む）をホストする。ｅＮＢは、制御プレーンに対応する無線リソース制御（ＲＲＣ：Radio Resource Control）機能も提供する。ｅＮＢは、無線リソース管理、アドミッション制御、スケジューリング、交渉によるアップリンクＱｏＳ（サービス品質）の実施、セル情報のブロードキャスト、ユーザプレーンデータおよび制御プレーンデータの暗号化／復号、ダウンリンク／アップリンクのユーザプレーンパケットヘッダの圧縮／復元など、多くの機能を実行する。複数のｅＮｏｄｅＢは、Ｘ２インタフェースによって互いに接続されている。
【０００６】
また、複数のｅＮｏｄｅＢは、Ｓ１インタフェースによってＥＰＣ（Evolved Packet Core）、より具体的には、Ｓ１−ＭＭＥによってＭＭＥ（Mobility Management Entity：移動管理エンティティ）、Ｓ１−Ｕによってサービングゲートウェイ（ＳＧＷ：Serving Gateway）に接続されている。Ｓ１インタフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のＵＥに対しては、ダウンリンクデータ経路を終端させ、そのＵＥへのダウンリンクデータが到着したときにページングをトリガーする。ＳＧＷは、ＵＥのコンテキスト（例えばＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００７】
ＭＭＥは、ＬＴＥのアクセスネットワークの主要な制御ノードである。ＭＭＥは、アイドルモードのＵＥの追跡およびページング手順（再送信を含む）の役割を担う。ＭＭＥは、ベアラの有効化／無効化プロセスに関与し、さらには、最初のアタッチ時と、コアネットワーク（ＣＮ）ノードの再配置を伴うＬＴＥ内ハンドオーバー時とに、ＵＥのＳＧＷを選択する役割も担う。ＭＭＥは、（ＨＳＳと対話することによって）ユーザを認証する役割を担う。非アクセスレイヤ（ＮＡＳ：Non-Access Stratum）シグナリングはＭＭＥにおいて終端され、ＭＭＥは、一時的なＩＤを生成してＵＥに割り当てる役割も担う。ＭＭＥは、サービスプロバイダの公衆陸上移動網（ＰＬＭＮ：Public Land Mobile Network）に入るためのＵＥの認証をチェックし、ＵＥのローミング制約を実施する。ＭＭＥは、ＮＡＳシグナリングの暗号化／整合性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするＵＥのためのホームＨＳＳに向かうＳ６ａインタフェースを終端させる。
【０００８】
ＬＴＥにおけるコンポーネントキャリアの構造
３ＧＰＰ  ＬＴＥシステムのダウンリンクコンポーネントキャリア（ＣＣ：Component Carrier）は、時間−周波数領域において、いわゆるサブフレームに分割される。３ＧＰＰ  ＬＴＥでは、図３に示したように、各サブフレームが２つのダウンリンクスロットに分割されており、第１のダウンリンクスロットは、最初のいくつかのＯＦＤＭシンボルにおける制御チャネル領域（ＰＤＣＣＨ領域）を含む。各サブフレームは、時間領域における特定の数のＯＦＤＭシンボルからなり（３ＧＰＰ  ＬＴＥ（リリース８）では１２個または１４個のＯＦＤＭシンボル）、ＯＦＤＭシンボルそれぞれが、コンポーネントキャリアの帯域幅全体を範囲としている。したがって、ＯＦＤＭシンボルそれぞれは、図４にも示したように、ＮＤＬＲＢ＊ＮＲＢｓｃ本のそれぞれのサブキャリア上で送信される複数の変調シンボルからなる。
【０００９】
例えば、３ＧＰＰ  ＬＴＥ（ロングタームエボリューション）において使用される、例えばＯＦＤＭを採用するマルチキャリア通信システムを考えると、スケジューラによって割り当てることのできるリソースの最小単位は、１つの「リソースブロック」である。物理リソースブロック（ＰＲＢ）は、図４に例示的に示したように、時間領域におけるＮＤＬｓｙｍｂ個の連続するＯＦＤＭシンボル（例：７個のＯＦＤＭシンボル）と、周波数領域におけるＮＲＢｓｃ本の連続するサブキャリア（例：コンポーネントキャリアの１２本のサブキャリア）として定義される。したがって、３ＧＰＰ  ＬＴＥ（リリース８）においては、物理リソースブロックは、ＮＤＬｓｙｍｂ＊ＮＲＢｓｃ個のリソースエレメントからなり、時間領域における１スロットと、周波数領域における１８０ｋＨｚに対応する（ダウンリンクリソースグリッドに関するさらなる詳細については、例えば非特許文献１の６．２節を参照）（３ＧＰＰのウェブサイトにおいて入手可能であり、参照によって本明細書に組み込まれている）。
【００１０】
１つのサブフレームは２つのスロットからなり、したがって、いわゆる「通常の」ＣＰ（サイクリックプレフィックス）が使用されているときにはサブフレームに１４個のＯＦＤＭシンボルが存在し、いわゆる「拡張」ＣＰが使用されているときにはサブフレームに１２個のＯＦＤＭシンボルが存在する。専門用語として、以下では、サブフレーム全体にわたる、同一のＮＲＢｓｃ本の連続するサブキャリアに等しい時間−周波数リソースを、「リソースブロックペア」、または同じ意味で「ＲＢペア」または「ＰＲＢペア」と称する。
【００１１】
用語「コンポーネントキャリア」は、周波数領域におけるいくつかのリソースブロックの組合せを意味する。ＬＴＥの将来のリリースにおいて、「コンポーネントキャリア」という用語はもはや使用されない。代わりに、この用語は「セル」に変更され、「セル」は、ダウンリンクリソースおよび任意でアップリンクリソースの組合せを意味する。ダウンリンクリソースのキャリア周波数とアップリンクリソースのキャリア周波数との連結（linking）は、ダウンリンクリソースで送信されるシステム情報に示される。コンポーネントキャリアの構造の同様の想定は、以降のリリースにも適用される。
【００１２】
より広い帯域幅をサポートするためのＬＴＥ−Ａにおけるキャリアアグリゲーション
World Radio communication Conference 2007（ＷＲＣ−０７）において、ＩＭＴ−Ａｄｖａｎｃｅｄの周波数スペクトルが決定された。ＩＭＴ−Ａｄｖａｎｃｅｄのための全体的な周波数スペクトルは決定されたが、実際に利用可能な周波数帯域幅は、地域または国によって異なる。しかしながら、利用可能な周波数スペクトルのアウトラインの決定に続いて、３ＧＰＰ（3rd Generation Partnership Project）において無線インタフェースの標準化が開始された。３ＧＰＰ  ＴＳＧ  ＲＡＮ  ＃３９会合では、「Further Advancements for E-UTRA (LTE-Advanced)」に関するStudy Itemの記述が承認された。このStudy Itemは、Ｅ−ＵＴＲＡを進化・発展させるうえで（例えば、ＩＭＴ−Ａｄｖａｎｃｅｄの要求条件を満たすために）考慮すべき技術要素をカバーしている。
【００１３】
ＬＴＥ−Ａｄｖａｎｃｅｄシステムがサポートできる帯域幅は１００ＭＨｚであるが、ＬＴＥシステムは２０ＭＨｚをサポートできるのみである。最近、無線スペクトルの不足によって無線ネットワークの発展が妨げられており、結果として、ＬＴＥ−Ａｄｖａｎｃｅｄシステムのための十分に広いスペクトル帯域を確保することが困難である。したがって、より広い無線スペクトル帯域を得るための方法を見つけることが緊急課題であり、１つの可能な答えがキャリアアグリゲーション機能である。
【００１４】
キャリアアグリゲーションにおいては、最大１００ＭＨｚの広い送信帯域幅をサポートする目的で、２つ以上のコンポーネントキャリア（セル）がアグリゲート（結合）される。ＬＴＥ−Ａｄｖａｎｃｅｄシステムでは、ＬＴＥシステムにおけるいくつかのセルをアグリゲートして、より広い１つのチャネルとし、このチャネルは、たとえＬＴＥにおけるこれらのセルが異なる周波数帯域である場合でも１００ＭＨｚに対して十分に広い。
【００１５】
アグリゲートされるコンポーネントキャリアの数がアップリンクとダウンリンクとで少なくとも同じであるとき、すべてのコンポーネントキャリアをＬＴＥリリース８／９互換として設定することができる。ＵＥによってアグリゲートされるすべてのコンポーネントキャリアが必ずしもＬＴＥリリース８／９互換でなくてよい。リリース８／９のＵＥがコンポーネントキャリアにキャンプオンする（camp on）ことを回避するため、既存のメカニズム（例：バーリング）を使用することができる。
【００１６】
ＵＥは、自身の能力に応じて１つまたは複数のコンポーネントキャリア（複数のサービングセルに対応する）を同時に受信または送信することができる。キャリアアグリゲーションのための受信能力もしくは送信能力またはその両方を備えた、ＬＴＥ−Ａリリース１０のＵＥは、複数のサービングセル上で同時に受信する、もしくは送信する、またはその両方を行うことができ、これに対して、ＬＴＥリリース８／９のＵＥは、コンポーネントキャリアの構造がリリース８／９の仕様に従う場合、１つのみのサービングセル上で受信および送信を行うことができる。
【００１７】
キャリアアグリゲーションは、連続するコンポーネントキャリアおよび不連続なコンポーネントキャリアの両方においてサポートされ、この場合、コンポーネントキャリアそれぞれは、３ＧＰＰ  ＬＴＥ（リリース８／９）の計算方式を使用するとき周波数領域における最大１１０個のリソースブロックに制限される。
【００１８】
３ＧＰＰ  ＬＴＥ−Ａ（リリース１０）互換のＵＥは、同じｅＮｏｄｅＢ（基地局）から送信される（場合によってはアップリンクとダウンリンクとで異なる帯域幅）のさまざまな数のコンポーネントキャリアをアグリゲートするように、設定することが可能である。設定することのできるダウンリンクコンポーネントキャリアの数は、ＵＥのダウンリンクのアグリゲーション能力に依存する。逆に、設定することのできるアップリンクコンポーネントキャリアの数は、ＵＥのアップリンクのアグリゲーション能力に依存する。ダウンリンクコンポーネントキャリアよりもアップリンクコンポーネントキャリアが多くなるように移動端末を設定することはできない。
【００１９】
一般的なＴＤＤ配備では、コンポーネントキャリアの数および各コンポーネントキャリアの帯域幅は、アップリンクとダウンリンクとで同じである。同じｅＮｏｄｅＢから送信されるコンポーネントキャリアは、必ずしも同じカバレッジを提供する必要はない。
【００２０】
連続的にアグリゲートされるコンポーネントキャリアの中心周波数の間隔は、３００ｋＨｚの倍数である。これは、３ＧＰＰ  ＬＴＥ（リリース８／９）の１００ｋＨｚの周波数ラスタとの互換性を保つと同時に、１５ｋＨｚ間隔のサブキャリアの直交性を維持するためである。アグリゲーションのシナリオによっては、連続するコンポーネントキャリアの間に少数の使用されないサブキャリアを挿入することによって、ｎ＊３００ｋＨｚの間隔あけを容易にすることができる。
【００２１】
複数のキャリアをアグリゲートする影響は、ＭＡＣレイヤに及ぶのみである。ＭＡＣレイヤには、アップリンクおよびダウンリンクの両方において、アグリゲートされるコンポーネントキャリアごとに１つのＨＡＲＱエンティティが要求される。コンポーネントキャリアあたりのトランスポートブロックは最大１個である（アップリンクにおけるＳＵ−ＭＩＭＯを使用しない場合）。トランスポートブロックおよびそのＨＡＲＱ再送信（発生時）は、同じコンポーネントキャリアにマッピングする必要がある。
【００２２】
図５および図６は、それぞれ、ダウンリンクおよびアップリンクにおける、キャリアアグリゲーションが有効になっているレイヤ２構造を示している。
【００２３】
キャリアアグリゲーションが設定されているとき、移動端末はネットワークとの１つのＲＲＣ接続のみを有する。ＲＲＣ接続の確立／再確立時、１つのセルが、ＬＴＥリリース８／９と同様に、セキュリティ入力（１つのＥＣＧＩ、１つのＰＣＩ、および１つのＡＲＦＣＮ）と、非アクセスレイヤ（ＮＡＳ）モビリティ情報（例：ＴＡＩ）とを提供する。ＲＲＣ接続の確立／再確立の後、そのセルに対応するコンポーネントキャリアは、ダウンリンクプライマリセル（ＰＣｅｌｌ）と称される。接続状態では、ＵＥあたり常に１つのダウンリンクＰＣｅｌｌ（ＤＬ  ＰＣｅｌｌ）および１つのアップリンクＰＣｅｌｌ（ＵＬ  ＰＣｅｌｌ）が設定される。設定されているコンポーネントキャリアのセットの中のプライマリセル以外のセルを、セカンダリセル（ＳＣｅｌｌ）と称し、ＳＣｅｌｌのキャリアは、ダウンリンクセカンダリコンポーネントキャリア（ＤＬ  ＳＣＣ）およびアップリンクセカンダリコンポーネントキャリア（ＵＬ  ＳＣＣ）である。ダウンリンクＰＣｅｌｌおよびアップリンクＰＣｅｌｌの特徴は以下のとおりである。
−  ＳＣｅｌｌごとに、ダウンリンクリソースに加えてアップリンクリソースのＵＥによる使用を設定することができる。したがって、設定されるＤＬ  ＳＣＣの数はＵＬ  ＳＣＣの数よりも常に大きいかまたは等しく、アップリンクリソースのみを使用するようにＳＣｅｌｌを設定することはできない。
−  アップリンクＰＣｅｌｌは、レイヤ１のアップリンク制御情報を送信するために使用される。
−  ダウンリンクＰＣｅｌｌは、ＳＣｅｌｌとは異なり非アクティブ化することはできない。
−  ＵＥの観点からは、各アップリンクリソースは１つのサービングセルのみに属す。
−  設定することのできるサービングセルの数は、ＵＥのアグリゲーション能力に依存する。
−  ダウンリンクＰＣｅｌｌにおいてレイリーフェージング（ＲＬＦ）が発生すると再確立がトリガーされるが、ダウンリンクＳＣｅｌｌにＲＬＦが発生しても再確立はトリガーされない。
−  ダウンリンクＰＣｅｌｌは、ハンドオーバーによって（すなわちセキュリティキー変更およびＲＡＣＨ手順）によって変更されうる。
−  非アクセスレイヤ情報はダウンリンクＰＣｅｌｌから取得される。
−  ＰＣｅｌｌは、ハンドオーバー手順（すなわちセキュリティキー変更およびＲＡＣＨ手順）によってのみ変更することができる。
−  ＰＣｅｌｌは、ＰＵＣＣＨの送信に使用される。
【００２４】
コンポーネントキャリアの設定および再設定は、ＲＲＣによって行うことができる。アクティブ化および非アクティブ化は、ＭＡＣ制御エレメント（ＭＡＣ  ＣＥ）を介して行われる。さらにＬＴＥ内ハンドオーバー時には、ＲＲＣによって、ターゲットセルで使用するためのＳＣｅｌｌを追加、削除、または再設定することができる。新しいＳＣｅｌｌを追加するときには、ＳＣｅｌｌのシステム情報（送信／受信に必要である）を送るために専用のＲＲＣシグナリングが使用される（ＬＴＥリリース８／９におけるハンドオーバー時と同様）。
【００２５】
キャリアアグリゲーションを使用するようにＵＥが設定されているとき、アップリンクコンポーネントキャリアとダウンリンクコンポーネントキャリアの一対が常にアクティブである。この対のうちのダウンリンクコンポーネントキャリアは、「ダウンリンクアンカーキャリア」と称されることもある。同じことはアップリンクについてもあてはまる。
【００２６】
キャリアアグリゲーションが設定されているとき、同時に複数のコンポーネントキャリアについてＵＥをスケジューリングすることができるが、一度に行うことのできるランダムアクセス手順は最大で１つである。クロスキャリアスケジューリング（cross-carrier scheduling）では、あるコンポーネントキャリアのＰＤＣＣＨによって別のコンポーネントキャリアのリソースをスケジューリングすることができる。この目的のため、それぞれのＤＣＩフォーマットにコンポーネントキャリア識別フィールド（「ＣＩＦ：Component carrier Identification Field」と称する）が導入されている。
【００２７】
クロスキャリアスケジューリングが行われていないときには、アップリンクコンポーネントキャリアとダウンリンクコンポーネントキャリアとをリンクすることによって、グラントが適用されるアップリンクコンポーネントキャリアを識別することができる。アップリンクコンポーネントキャリアへのダウンリンクコンポーネントキャリアのリンクは、必ずしも１対１である必要はない。言い換えれば、同じアップリンクコンポーネントキャリアに複数のダウンリンクコンポーネントキャリアをリンクすることができる。一方で、１つのダウンリンクコンポーネントキャリアは、１つのアップリンクコンポーネントキャリアのみにリンクすることができる。
【００２８】
ＬＴＥにおけるアップリンクアクセス方式
アップリンク送信においては、カバレッジを最大にするため、ユーザ端末による電力効率の高い送信が必要である。Ｅ−ＵＴＲＡのアップリンク送信方式としては、シングルキャリア伝送と、動的な帯域幅割当てのＦＤＭＡとを組み合わせた方式が選択されている。シングルキャリア伝送が選択された主たる理由は、マルチキャリア信号（ＯＦＤＭＡ）と比較して、ピーク対平均電力比（ＰＡＰＲ）が低く、これに対応して電力増幅器の効率が改善され、カバレッジの向上が見込まれるためである（与えられる端末ピーク電力に対してデータレートが高い）。ＮｏｄｅＢは、各時間間隔において、ユーザデータを送信するための固有の時間／周波数リソースをユーザに割り当て、これによってセル内の直交性が確保される。アップリンクにおける直交アクセスによって、セル内干渉が排除されることでスペクトル効率が高まる。マルチパス伝搬に起因する干渉については、送信信号にサイクリックプレフィックスを挿入することにより基地局（ＮｏｄｅＢ）において対処する。
【００２９】
データ送信に使用される基本的な物理リソースは、１つの時間間隔（例えば、０．５ｍｓのサブフレーム）にわたるサイズＢＷｇｒａｎｔの周波数リソースから構成される（符号化された情報ビットはこのリソースにマッピングされる）。なお、サブフレーム（送信時間間隔（ＴＴＩ：Transmission Time Interval）とも称する）は、ユーザデータを送信するための最小の時間間隔である。しかしながら、サブフレームを連結することにより、１ＴＴＩよりも長い時間にわたる周波数リソースＢＷｇｒａｎｔをユーザに割り当てることも可能である。
【００３０】
ＬＴＥにおけるアップリンクのスケジューリング方式
アップリンクの方式として、スケジューリング制御式の（すなわちｅＮＢによって制御される）アクセスと、コンテンションベースのアクセスの両方を使用することができる。
【００３１】
スケジューリング制御式アクセスの場合、アップリンクデータ送信用として、特定の時間長の特定の周波数リソース（すなわち時間／周波数リソース）が、ＵＥに割り当てられる。しかしながら、コンテンションベースのアクセス用に、いくらかの時間／周波数リソースを割り当てることができる。コンテンションベースの時間／周波数リソースの範囲内では、ＵＥは、最初にスケジューリングされることなく送信することができる。ＵＥがコンテンションベースのアクセスを行う１つのシナリオは、例えばランダムアクセスであり、すなわち、ＵＥがあるセルへ最初のアクセスを行うとき、またはアップリンクリソースを要求するため最初のアクセスを行うときである。
【００３２】
スケジューリング制御式アクセスの場合、ＮｏｄｅＢのスケジューラが、アップリンクデータ送信のための固有の周波数／時間リソースをユーザに割り当てる。より具体的には、スケジューラは以下を決定する。
−  送信を許可する（１つまたは複数の）ＵＥ
−  物理チャネルリソース（周波数）
−  移動端末が送信に使用するべきトランスポートフォーマット（変調・符号化方式（ＭＣＳ））
【００３３】
割当て情報は、Ｌ１／Ｌ２制御チャネルで送られるスケジューリンググラントを介してＵＥにシグナリングされる。以下では、説明を簡潔にするため、このチャネルをアップリンクグラントチャネルと称する。スケジューリンググラントメッセージは、情報として、周波数帯域のうちＵＥによる使用を許可する部分と、グラントの有効期間と、これから行うアップリンク送信にＵＥが使用しなければならないトランスポートフォーマットとを、少なくとも含んでいる。最も短い有効期間は、１サブフレームである。グラントメッセージには、選択される方式に応じて追加の情報も含めることができる。アップリンク共有チャネル（ＵＬ−ＳＣＨ）で送信する権利を許可するグラントとしては、「各ＵＥに対する」グラントのみが使用される（すなわち、「各ＵＥにおける各無線ベアラに対する」グラントは存在しない）。したがってＵＥは、割り当てられたリソースを何らかの規則に従って無線ベアラの間で配分する必要がある。トランスポートフォーマットは、ＨＳＵＰＡの場合とは異なり、ＵＥ側では選択しない。ｅＮＢが、何らかの情報（例えば、報告されたスケジューリング情報およびＱｏＳ情報）に基づいてトランスポートフォーマットを決定し、ＵＥは、選択されたトランスポートフォーマットに従わなければならない。ＨＳＵＰＡでは、ＮｏｄｅＢが最大限のアップリンクリソースを割り当てて、ＵＥは、それに応じてデータ送信用の実際のトランスポートフォーマットを選択する。
【００３４】
無線リソースのスケジューリングは、サービス品質を決めるうえで、共有チャネルアクセスネットワークにおいて最も重要な機能であるため、効率的なＱｏＳ管理を可能にする目的で、ＬＴＥにおけるアップリンクスケジューリング方式が満たしているべき要件がいくつかある。
・  優先順位の低いサービスのリソース不足を避けるべきである。
・  個々の無線ベアラ／サービスにおいてＱｏＳが明確に区別されるべきである。
・  どの無線ベアラ／サービスのデータが送信されるのかをｅＮＢのスケジューラが識別できるように、アップリンク報告において、きめ細かいバッファ報告（例えば、無線ベアラごとの報告、または無線ベアラグループごとの報告）を可能にするべきである。
・  異なるユーザのサービスの間でＱｏＳを明確に区別できるようにするべきである。
・  無線ベアラごとに最小限のビットレートを提供できるようにするべきである。
【００３５】
上に挙げた条件から理解できるように、ＬＴＥのスケジューリング方式の１つの重要な側面は、事業者が、自身の総セル容量を、異なるＱｏＳクラスの個々の無線ベアラの間で分配することを制御できるメカニズムを提供することである。無線ベアラのＱｏＳクラスは、前述したようにサービングゲートウェイからｅＮＢにシグナリングされる対応するＳＡＥベアラのＱｏＳプロファイルによって識別される。事業者は、自身の総セル容量のうちの特定の量を、特定のＱｏＳクラスの無線ベアラに関連付けられる総トラフィックに割り当てることができる。クラスに基づくこの方法を採用する主たる目的は、パケットの処理を、パケットが属するＱｏＳクラスに応じて区別できるようにすることである。
【００３６】
ＤＲＸ（Discontinuous Reception：不連続受信）
ＲＲＣ＿ＩＤＬＥの場合にＤＲＸ機能を設定することができ、この場合、ＵＥは、自身に固有なＤＲＸ値またはデフォルトのＤＲＸ値（defaultPagingCycle）のいずれかを使用する。デフォルト値は、システム情報の中でブロードキャストされ、値として、３２個、６４個、１２８個、および２５６個の無線フレームを有することができる。固有な値とデフォルト値の両方が利用可能である場合、ＵＥは２つのうち短い方の値を選択する。ＵＥは、ＤＲＸサイクルあたり１回のページング機会において起動する必要があり、ページング機会は１つのサブフレームである。
【００３７】
「ＲＲＣ＿ＣＯＮＮＥＣＴＥＤ」の場合にもＤＲＸ機能を設定することができ、したがって、ダウンリンクチャネルを常に監視する必要はない。ＵＥのバッテリが過大に消費されないようにする目的で、３ＧＰＰ  ＬＴＥ（リリース８／９）および３ＧＰＰ  ＬＴＥ−Ａ（リリース１０）では、不連続受信（ＤＲＸ）というコンセプトが提供される。技術規格書である非特許文献２の第５．７章にはＤＲＸについて説明されており、この文書は参照によって本明細書に組み込まれている。
【００３８】
ＵＥのＤＲＸ挙動を定義するため以下のパラメータが利用可能であり、すなわち、移動ノードがアクティブであるオン期間と、移動ノードがＤＲＸモードである期間である。
−  オン期間：ＵＥがＤＲＸから起動した後、ＰＤＣＣＨを受信および監視する期間（単位：ダウンリンクサブフレーム）。ＵＥは、ＰＤＣＣＨを正常に復号した場合、起動状態を維持し、インアクティビティタイマ（inactivity timer）を起動する。［１〜２００個のサブフレーム、１６ステップ：１〜６、１０〜６０、８０、１００、２００］
−  ＤＲＸインアクティビティタイマ：ＵＥが、ＰＤＣＣＨを最後に正常に復号してから、さらなるＰＤＣＣＨを正常に復号するのを待機する期間（単位：ダウンリンクサブフレーム）。ＵＥは、この期間の間にＰＤＣＣＨを正常に復号できないとき、再びＤＲＸに入る。ＵＥは、最初の送信（すなわち再送信ではない）のみについてＰＤＣＣＨを１回正常に復号した後に、インアクティビティタイマを再起動する。［１〜２５６０個のサブフレーム、２２ステップ、１０予備：１〜６、８、１０〜６０、８０、１００〜３００、５００、７５０、１２８０、１９２０、２５６０］
−  ＤＲＸ再送信タイマ：最初の利用可能な再送信時間の後にＵＥがダウンリンク再送信を予測する、連続するＰＤＣＣＨサブフレームの数を指定する。［１〜３３個のサブフレーム、８ステップ：１、２、４、６、８、１６、２４、３３］
−  短ＤＲＸサイクル：短ＤＲＸサイクルにおいてオン期間の後に非アクティブ期間が続く周期的な反復を指定する。このパラメータはオプションである。［２〜６４０個のサブフレーム、１６ステップ：２、５、８、１０、１６、２０、３２、４０、６４、８０、１２８、１６０、２５６、３２０、５１２、６４０］
−  短ＤＲＸサイクルタイマ：ＤＲＸインアクティビティタイマが切れた後にＵＥが短ＤＲＸサイクルに従う、連続するサブフレームの数を指定する。このパラメータはオプションである。［１〜１６個のサブフレーム］
−  長ＤＲＸサイクル開始オフセット：長ＤＲＸサイクルにおいてオン期間の後に非アクティブ期間が続く周期的な反復と、オン期間が開始するときのオフセット（単位：サブフレーム）を指定する（非特許文献２の第５．７節に定義されている式によって求められる）。［サイクル長１０〜２５６０個のサブフレーム、１６ステップ：１０、２０、３０、３２、４０、６４、８０、１２８、１６０、２５６、３２０、５１２、６４０、１０２４、１２８０、２０４８、２５６０。オフセットは［０〜選択されたサイクルのサブフレーム長］の間の整数］
【００３９】
ＵＥが起動している合計期間は、「アクティブ時間」と称される。アクティブ時間には、ＤＲＸサイクルのオン期間と、インアクティビティタイマが切れていない間にＵＥが連続受信を行っている時間と、１  ＨＲＱ  ＲＴＴの後にダウンリンク再送信を待機している間にＵＥが連続受信を行っている時間とが含まれる。同様に、アップリンクの場合、ＵＥは、アップリンク再送信グラントを受信できるサブフレーム（すなわち最初のアップリンク送信の後、再送信の最大回数に達するまでの８ｍｓ毎）において起動している。上記に基づくと、最小アクティブ時間は、オン期間に等しい長さであり、最大アクティブ時間は未定義（無限大）である。
【００４０】
ＤＲＸの動作は、電力を節約する目的で、（その時点で有効なＤＲＸサイクルに従って）反復的に無線回路を非アクティブにする機会を移動端末に提供する。ＤＲＸ期間中にＵＥが実際にＤＲＸ（すなわちアクティブではない）状態のままであるかは、ＵＥによって決定することができる。例えば、ＵＥは通常では周波数間測定を実行するが、この測定はオン期間の間に実施することができず、したがって、ＤＲＸ機会の間の他の何らかの時間に実行する必要がある。
【００４１】
ＤＲＸサイクルをパラメータ化するときには、バッテリの節約と遅延（レイテンシ）との間のトレードオフを伴う。例えば、ウェブブラウジングサービスの場合、ダウンロードされたウェブページをユーザが読んでいる間、ＵＥがダウンリンクチャネルを連続的に受信することは、通常ではリソースの無駄である。長いＤＲＸ期間は、ＵＥのバッテリの寿命を延ばすうえで有利である。これに対して、短いＤＲＸ期間は、データ伝送が再開されるときに（例えばユーザが別のウェブページを要求するときに）より高速に応答するうえで有利である。
【００４２】
これらの矛盾する要件を満たすため、各ＵＥに対して２つのＤＲＸサイクル（短いサイクルと長いサイクル）を設定することができる。短ＤＲＸサイクルはオプションであり、すなわち長ＤＲＸサイクルのみが使用される。短ＤＲＸサイクル、長ＤＲＸサイクル、連続受信の間の遷移は、タイマによって、またはｅＮｏｄｅＢからの明示的なコマンドによって制御される。短ＤＲＸサイクルは、ある意味、パケットが遅れて到着する場合における、ＵＥが長ＤＲＸサイクルに入る前の確認期間とみなすことができる。ＵＥが短ＤＲＸサイクルにある間にｅＮｏｄｅＢにデータが到着する場合、そのデータを送信するためのスケジューリングが次のオン期間において行われ、次いでＵＥは連続受信を再開する。これに対して、短ＤＲＸサイクルの間にｅＮｏｄｅＢにデータが到着しない場合、ＵＥは、当面の間はパケット送信が終了したものと想定して長ＤＲＸサイクルに入る。
【００４３】
ＵＥは、アクティブ時間の間、ＰＤＣＣＨを監視し、ＳＲＳ（Sounding Reference Signal）を報告し（設定されているとき）、ＣＱＩ（チャネル品質情報）／ＰＭＩ（Precoding Matrix Indicator）／ＲＩ（Rank Indicator）／ＰＴＩ（Precoder Type Indication）をＰＵＣＣＨで報告する。ＵＥがアクティブ時間にないときには、トリガータイプ０のＳＲＳ（type-0-triggered SRS）およびＣＱＩ／ＰＭＩ／ＲＩ／ＰＴＩをＰＵＣＣＨで報告することはできない。ＵＥに対してＣＱＩマスキングが設定されている場合、ＰＵＣＣＨでのＣＱＩ／ＰＭＩ／ＲＩ／ＰＴＩの報告は、オン期間に制限される。
【００４４】
利用可能なＤＲＸ値は、ネットワークによって制御され、非ＤＲＸから開始してｘ秒までである。値ｘは、ＲＲＣ＿ＩＤＬＥにおいて使用されるページングＤＲＸと同じ長さとすることができる。測定要件および報告基準は、ＤＲＸ間隔の長さに従って異なることがあり、すなわち長いＤＲＸ間隔では、要件をより緩和することができる（後からさらに詳しく説明する）。ＤＲＸが設定されているとき、ＵＥは「アクティブ時間」の間にのみ周期的なＣＱＩ報告を送ることができる。ＲＲＣは、周期的なＣＱＩ報告がオン期間の間にのみ送られるように、周期的なＣＱＩ報告をさらに制約することができる。
【００４５】
図７は、ＤＲＸの例を開示している。ＵＥは、その時点で有効なサイクルに応じて長ＤＲＸサイクルまたは短ＤＲＸサイクルのいずれかの「オン期間」の間、スケジューリングメッセージ（ＰＤＣＣＨ上のＣ−ＲＮＴＩ（Cell-Radio Network Temporary Identity）によって示される）がないかチェックする。「オン期間」の間にスケジューリングメッセージが受信されたときには、ＵＥは、「インアクティビティタイマ」を起動し、インアクティビティタイマが作動している間、各サブフレームにおいてＰＤＣＣＨを監視する。この期間中、ＵＥは連続受信モードにあるものとみなすことができる。インアクティビティタイマが作動している間にスケジューリングメッセージが受信されると、ＵＥはインアクティビティタイマを再起動し、インアクティビティタイマが切れたとき、ＵＥは短ＤＲＸサイクルに移行し、「短ＤＲＸサイクルタイマ」を起動する。短ＤＲＸサイクルは、ＭＡＣ制御エレメントによって開始することもできる。短ＤＲＸサイクルタイマが切れると、ＵＥは長ＤＲＸサイクルに移行する。
【００４６】
このＤＲＸ挙動に加えて、ＨＡＲＱ  ＲＴＴの間にＵＥがスリープできるようにする目的で、「ＨＡＲＱラウンドトリップタイム（ＲＴＴ）タイマ」が定義される。１つのＨＡＲＱプロセスにおけるダウンリンクトランスポートブロックの復号に失敗すると、ＵＥは、そのトランスポートブロックの次の再送信が、少なくとも「ＨＡＲＱ  ＲＴＴ」のサブフレームの後に行われるものと想定することができる。ＨＡＲＱ  ＲＴＴタイマが作動している間、ＵＥはＰＤＣＣＨを監視する必要がない。ＨＡＲＱ  ＲＴＴタイマが切れると、ＵＥは通常どおりにＰＤＣＣＨの受信を再開する。
【００４７】
ＵＥあたり１つのみのＤＲＸサイクルが存在する。アグリゲートされたコンポーネントキャリアすべてがこのＤＲＸパターンに従う。
【００４８】
アップリンク電力制御
移動通信システムにおけるアップリンク送信電力制御は重要な目的を果たす。アップリンク送信電力制御は、要求されるサービス品質（ＱｏＳ）が達成されるようにビットあたり十分なエネルギを送信する必要性と、システムの別のユーザとの干渉を最小限にし、かつ移動端末のバッテリ寿命を最大にする必要性との間でバランスをとる。この目的を達成する中で、電力制御（ＰＣ）の役割は、要求されるＳＩＮＲを提供すると同時に、隣接セルに引き起こされる干渉を制御するうえで極めて重要となる。アップリンクにおける古典的な電力制御方式の発想では、すべてのユーザが同じＳＩＮＲで受信する（完全な補償（full compensation）として知られている）。３ＧＰＰでは、これに代えて、ＬＴＥにおいて部分電力制御（ＦＰＣ：Fractional Power Control）の使用を採用した。この新しい機能では、パスロスの大きいユーザは低いＳＩＮＲ要件で動作し、したがって多くの場合、隣接セルに引き起こされる干渉が小さい。
【００４９】
ＬＴＥにおいては、ＰＵＳＣＨ（Physical Uplink Shared Channel）、ＰＵＣＣＨ(Physical Uplink Control Channel）、およびＳＲＳ（Sounding Reference Signal）について、詳細な電力制御式が指定されている（電力制御式に関するさらなる詳細については、例えば非特許文献３の５．１節を参照）（３ＧＰＰのウェブサイトにおいて入手可能であり、参照によって本明細書に組み込まれている）。これらのアップリンク信号それぞれの電力制御式は、同じ基本原理に従う。いずれの場合も、電力制御式は、２つの主項、すなわちｅＮｏｄｅＢによってシグナリングされる静的パラメータまたは半静的パラメータから導かれる、開ループの基本動作点と、サブフレームごとに更新される動的オフセット（補正）、の合計と考えることができる。
【００５０】
リソースブロックあたりの送信電力を決めるための、開ループの基本動作点は、セル間干渉やセル負荷など複数の要因に依存する。開ループの基本動作点は、さらに２つの要素として、半静的な基本レベルＰ０（セル内のすべてのＵＥの共通電力レベル（測定単位：ｄＢｍ）とＵＥに固有なオフセットとからなる）と、開ループのパスロス補償の要素とに、分解することができる。リソースブロックあたりの電力の動的オフセットの部分は、さらに２つの要素として、変調・符号化方式（ＭＣＳ）に依存する要素と、明示的な送信電力制御（ＴＰＣ：Transmitter Power Control）コマンドとに、分解することができる。
【００５１】
変調・符号化方式に依存する要素（ＬＴＥ仕様ではΔＴＦと称し、ＴＦは「トランスポートフォーマット」を表す）は、リソースブロックあたりの送信電力を、送信される情報のデータレートに従って適合させることができる。
【００５２】
動的オフセットのもう１つの要素は、ＵＥに固有な送信電力制御（ＴＰＣ）コマンドである。このコマンドは、２種類のモード、すなわち、累積ＴＰＣ（accumulative TPC）コマンド（ＰＵＳＣＨ、ＰＵＣＣＨ、およびＳＲＳに対して利用できる）と、絶対ＴＰＣコマンド（ＰＵＳＣＨに対してのみ利用できる）とにおいて、動作することができる。ＰＵＳＣＨに対する、これら２つのモードの間の切替えは、ＵＥごとにＲＲＣシグナリングによって半静的に設定される（すなわち、モードを動的に変更することはできない）。累積ＴＰＣコマンドの場合、各ＴＰＣコマンドは、前のレベルを基準としたときの電力ステップをシグナリングする。
【００５３】
電力ヘッドルームの報告
ｅＮｏｄｅＢが複数のＵＥに対してアップリンク送信リソースを適切にスケジューリングすることを支援する目的で、ＵＥは、利用可能な電力ヘッドルームをｅＮｏｄｅＢに報告できることが重要である。
【００５４】
ｅＮｏｄｅＢは、ＵＥが使用することのできる、サブフレームあたりのさらなるアップリンク帯域幅を、電力ヘッドルーム報告を使用して決定することができる。これは、リソースの無駄を回避する目的で、アップリンク送信リソースを使用することができないＵＥにリソースが割り当てられることを避ける役割を果たす。
【００５５】
電力ヘッドルーム報告の範囲は、＋４０〜−２３ｄＢである（非特許文献４の９．１．８．４節を参照）（３ＧＰＰのウェブサイトにおいて入手可能であり、その全体が参照によって本明細書に組み込まれている）。範囲の負の部分は、ＵＥが受信したアップリンクグラントによって、自身が利用できるよりも多くの送信電力が要求される場合に、電力の不足の程度をｅＮｏｄｅＢにシグナリングすることができる。これにより基地局は、次のグラントのサイズを小さくすることができ、送信リソースが解放されて別のＵＥに割り当てられる。
【００５６】
電力ヘッドルーム報告は、ＵＥがアップリンク送信グラントを有するサブフレームにおいてのみ送ることができる。報告は、送られるサブフレームに関連する。したがって、ヘッドルーム報告は、直接的な測定ではなく予測である。ＵＥは、報告が送信されるサブフレームの実際の送信電力ヘッドルームを直接測定することはできない。したがって、ヘッドルーム報告は、ＵＥの電力増幅器出力の較正が十分に正確であることに依存する。
【００５７】
電力ヘッドルーム報告をトリガーするための複数の基準として、以下が定義されている。
−  前回の電力ヘッドルーム報告以降に、推定されるパスロスが大きく変化した。
−  前回の電力ヘッドルーム報告から、設定されている以上の時間が経過した。
−  設定されている数を超える閉ループＴＰＣコマンドがＵＥによって実行された。
【００５８】
ｅＮｏｄｅＢは、これらのトリガーそれぞれを制御するパラメータを、システムの負荷状況と、スケジューリングアルゴリズムの要件とに応じて、設定することができる。具体的には、ＲＲＣが、２つのタイマ（電力ヘッドルーム報告の周期タイマ（periodicPHR-Timer）および電力ヘッドルーム報告の禁止タイマ（prohibitPHR-Timer））を設定し、測定されたダウンリンクパスロスの変化を示すdl-PathlossChangeをシグナリングして電力ヘッドルーム報告をトリガーすることによって、電力ヘッドルーム報告を制御する。
【００５９】
電力ヘッドルーム報告は、ＭＡＣ制御エレメントとして送られる。ＭＡＣ制御エレメントは１オクテットからなり、上位の２ビットが予約されており、下位の６ビットが、上述した６４ｄＢ値（１ｄＢ間隔）を表す。図８は、リリース８の電力ヘッドルーム報告のＭＡＣ制御エレメントの構造を示している。
【００６０】
サブフレームｉにおけるＵＥの有効な電力ヘッドルームＰＨ［ｄＢ］は、次式によって定義される（非特許文献３の５．１．１．２節を参照）。
ＰＨ（ｉ）＝ＰＣＭＡＸ−｛１０ｌｏｇ１０（ＭＰＵＳＣＨ（ｉ））＋Ｐ０＿ＰＵＳＣＨ（ｊ）＋ａ（ｊ）・ＰＬ＋ΔＴＦ（ｉ）＋ｆ（ｉ）｝        （式１）
電力ヘッドルームは、範囲［４０；−２３］ｄＢ（１ｄＢ間隔）の中の最も近い値に丸められる。ＰＣＭＡＸは、最大総ＵＥ送信電力（またはＵＥの最大総送信電力）であり、ＰＣＭＡＸ＿Ｌ〜ＰＣＭＡＸ＿Ｈの所定の範囲内で、以下の制約に基づいてＵＥによって選択される値である。
ＰＣＭＡＸ＿Ｌ≦ＰＣＭＡＸ≦ＰＣＭＡＸ＿Ｈ
ＰＣＭＡＸ＿Ｌ＝ｍｉｎ（ＰＥＭＡＸ−ΔＴＣ，ＰＰｏｗｅｒＣｌａｓｓ−ＭＰＲ−ＡＭＰＲ−ΔＴＣ）
ＰＣＭＡＸ＿Ｈ＝ｍｉｎ（ＰＥＭＡＸ，ＰＰｏｗｅｒＣｌａｓｓ）
ＰＥＭＡＸはネットワークによってシグナリングされる値であり、ＭＰＲ、ＡＭＰＲ（Ａ−ＭＰＲとも表される）、およびΔＴＣは、ΔＴＣ、ＭＰＲ、およびＡ−ＭＰＲ（追加最大電力低減：Additional Maximum Power Reduction、Ａ−ＭＰＲとも表される）は、非特許文献５（３ＧＰＰのウェブサイトにおいて入手可能であり、参照によって本明細書に組み込まれている）の６．２節に定義されている。
【００６１】
ＭＰＲは電力低減値（いわゆる最大電力低減）であり、さまざまな変調方式および送信帯域幅に関連付けられるＡＣＬＲ（Adjacent Channel Leakage Power Ratio：隣接チャネル漏洩電力比）を制御するために使用される。
【００６２】
Ａ−ＭＰＲは、追加最大電力低減である。この値は帯域に固有であり、ネットワークによって設定されるときに適用される。したがって、Ｐｃｍａｘは、ＵＥの実装に固有であり、したがってｅＮＢには認識されていない。
【００６３】
キャリアアグリゲーションにおけるアップリンク電力制御
ＬＴＥ−Ａｄｖａｎｃｅにおけるアップリンク電力制御の１つの主要ポイントは、コンポーネントキャリアに固有なアップリンク電力制御がサポートされることであり、すなわち、ユーザに設定されているアップリンクコンポーネントキャリアごとに１つの独立した電力制御ループが存在する。さらには、コンポーネントキャリアごとに電力ヘッドルームが報告される。
【００６４】
リリース１０では、キャリアアグリゲーションの範囲内において、２種類の最大電力限度として、最大総ＵＥ送信電力と、コンポーネントキャリアに固有な最大送信電力とが存在する。ＲＡＮ１は、＃６０ｂｉｓ会合において、コンポーネントキャリアごとに報告される電力ヘッドルーム報告が最大電力低減（ＭＰＲ）を考慮することに合意した。言い換えれば、ＵＥによって適用される電力低減は、コンポーネントキャリアに固有な最大送信電力ＰＣＭＡＸ，ｃ（ｃはコンポーネントキャリアを表す）において考慮される。すでに前述したように、ＭＰＲ／Ａ−ＭＰＲの目的は、信号の品質、スペクトル放射マスク、およびスプリアス放射に関する要件を満たすことができるように、移動端末が自身の最大送信電力を下げることを可能にすることである。
【００６５】
すでに前述したように、値ＭＰＲ／Ａ−ＭＰＲの目的は、信号の品質、スペクトル放射マスク、およびスプリアス放射に関する要件を満たすことができるように、移動端末が自身の最大送信電力を下げることを可能にすることである。
【００６６】
リリース１０では、ＭＰＲおよびＡ−ＭＰＲに加えて、特に別のＲＡＴ（無線アクセス技術）での同時送信が行われるときに自身のＬＴＥ総出力電力を制限しなければならないマルチＲＡＴ端末を考慮する目的で、いわゆる電力管理ＭＰＲ（Ｐ−ＭＰＲとも称する）が導入された。このような電力制限は、例えば、ユーザの身体中への無線エネルギの比吸収率（ＳＡＲ）に関する規制や、同時無線送信の相互変調積（inter-modulation product）によって影響されうる帯域外放射要件から生じうる。Ｐ−ＭＰＲは、ＭＰＲ／Ａ−ＭＰＲと合計されず、なぜなら、後者の要因に対してＵＥの最大出力電力を低減することが、Ｐ−ＭＰＲを必要とする要件を満たすうえで役立つためである。
【００６７】
したがってＵＥは、追加の電力管理ＭＰＲ（Ｐ−ＭＰＲ）を考慮して、自身の公称最大送信電力ＰＣＭＡＸ（すなわちＵＥにおいて利用可能な最大送信電力）を以下の式に従って設定する。
ＰＣＭＡＸ＿Ｌ≦ＰＣＭＡＸ≦ＰＣＭＡＸ＿Ｈ
ＰＣＭＡＸ＿Ｌ＝ＭＩＮ｛ＰＥＭＡＸ−ΔＴＣ，ＰＰｏｗｅｒＣｌａｓｓ−ｍａｘ（ＭＰＲ＋Ａ−ＭＰＲ，Ｐ−ＭＰＲ）−ΔＴＣ｝
ＰＣＭＡＸ＿Ｈ＝ＭＩＮ｛ＰＥＭＡＸ，ＰＰｏｗｅｒＣｌａｓｓ｝
【００６８】
キャリアアグリゲーションの場合、ＰＣＭＡＸはＰＣＭＡＸ，ｃ（コンポーネントキャリアに固有な最大送信電力）となる。本質的には、サービングセルｃに対して設定される最大出力電力は、次の範囲内で設定される。
ＰＣＭＡＸ＿Ｌ，ｃ≦ＰＣＭＡＸ，ｃ≦ＰＣＭＡＸ＿Ｈ，ｃ
【００６９】
２つの異なるアグリゲーション方式が考慮され、一方の方式では、アグリゲートされるキャリアが同じ周波数帯域内であり、もう一方の方式では、異なる周波数帯域のキャリアがアグリゲートされる。
同一周波数帯域の連続的なキャリアアグリゲーションの場合：
ＰＣＭＡＸ＿Ｌ，ｃ＝ＭＩＮ｛ＰＥＭＡＸ，ｃ−ΔＴＣ，ｃ，ＰＰｏｗｅｒＣｌａｓｓ−ＭＡＸ（ＭＰＲｃ＋Ａ−ＭＰＲｃ＋ΔＴＩＢ，ｃ，Ｐ−ＭＰＲｃ）−ΔＴＣ，ｃ｝
異周波数帯域のキャリアアグリゲーションの場合：
ＰＣＭＡＸ＿Ｌ，ｃ＝ＭＩＮ｛ＰＥＭＡＸ，ｃ−ΔＴＣ，ｃ，ＰＰｏｗｅｒＣｌａｓｓ−ＭＡＸ（ＭＰＲｃ＋Ａ−ＭＰＲｃ＋ΔＴＩＢ，ｃ，Ｐ−ＭＰＲｃ）−ΔＴＣ，ｃ｝
ＰＣＭＡＸ＿Ｈ，ｃ＝ＭＩＮ（ＰＥＭＡＸ，ｃ，ＰＰｏｗｅｒＣｌａｓｓ）
ＰＥＭＡＸ，ｃは、非特許文献６においてサービングセルｃのＩＥ  Ｐ−Ｍａｘによって与えられる値である。
【００７０】
異周波数帯域キャリアアグリゲーションの場合、ＭＰＲｃおよびＡ−ＭＰＲｃは、サービングセルｃごとに適用される、すなわち、サービングセルごとに個別のＭＰＲおよびＡ−ＭＰＲが存在する。同一周波数帯域の連続的なキャリアアグリゲーションの場合、ＭＰＲｃ＝ＭＰＲであり、Ａ−ＭＰＲｃ＝Ａ−ＭＰＲである。Ｐ−ＭＰＲｃは、サービングセルｃの電力管理の項である。同一周波数帯域の連続的なキャリアアグリゲーションの場合、ＵＥの１つの電力管理項Ｐ−ＭＰＲが存在し、Ｐ−ＭＰＲｃ＝Ｐ−ＭＰＲである。
【００７１】
２つのアップリンクサービングセルを含むキャリアアグリゲーションの場合、設定される最大総出力電力ＰＣＭＡＸは、次の範囲内で設定される。
ＰＣＭＡＸ＿Ｌ＿ＣＡ≦ＰＣＭＡＸ≦ＰＣＭＡＸ＿Ｈ＿ＣＡ
同一周波数帯域の連続的なキャリアアグリゲーションの場合：
ＰＣＭＡＸ＿Ｌ＿ＣＡ＝ＭＩＮ｛１０・ｌｏｇ１０ΣｐＥＭＡＸ，ｃ−ΔＴＣ，ＰＰｏｗｅｒＣｌａｓｓ−ＭＡＸ（ＭＰＲ＋Ａ−ＭＰＲ＋ΔＴＩＢ，ｃ，Ｐ−ＭＰＲ）−ΔＴＣ｝
ＰＣＭＡＸ＿Ｈ＿ＣＡ＝ＭＩＮ｛１０・ｌｏｇ１０ΣｐＥＭＡＸ，ｃ，ＰＰｏｗｅｒＣｌａｓｓ｝
式中、ｐＥＭＡＸ，ｃは、ＲＲＣシグナリングによって与えられるＰＥＭＡＸ，ｃの線形値（linear value）である（詳細については参照によって本明細書に組み込まれている非特許文献６を参照）。
動作帯域ごとに最大で１つのサービングセルｃを含む異周波数帯域キャリアアグリゲーションの場合：
ＰＣＭＡＸ＿Ｌ＿ＣＡ＝ＭＩＮ｛１０・ｌｏｇ１０ΣＭＩＮ［ｐＥＭＡＸ，ｃ／（ΔｔＣ，ｃ），ｐＰｏｗｅｒＣｌａｓｓ／（ｍｐｒｃ・ａ−ｍｐｒｃ・ΔｔＣ，ｃ・ΔｔＩＢ，ｃ），ｐＰｏｗｅｒＣｌａｓｓ／（ｐ−ｍｐｒｃ・ΔｔＣ，ｃ）］，ＰＰｏｗｅｒＣｌａｓｓ｝
ＰＣＭＡＸ＿Ｈ＿ＣＡ＝ＭＩＮ｛１０・ｌｏｇ１０ΣｐＥＭＡＸ，ｃ，ＰＰｏｗｅｒＣｌａｓｓ｝
式中、ｐＥＭＡＸ，ｃは、非特許文献６によって与えられるＰＥＭＡＸ，ｃの線形値である。ＭＰＲｃおよびＡ−ＭＰＲｃは、サービングセルｃごとに適用され、それぞれ、非特許文献５（参照によって本明細書に組み込まれている）の６．２．３節および６．２．４節に規定されている。ｍｐｒｃはＭＰＲｃの線形値であり、ａ−ｍｐｒｃはＡ−ＭＰＲｃの線形値である。Ｐ−ＭＰＲｃは、サービングセルｃの電力管理を考慮する。ｐ−ｍｐｒｃはＰ−ＭＰＲｃの線形値である。
【００７２】
コンポーネントキャリアに固有な最大送信電力またはＵＥの最大総送信電力の定義に関するさらなる詳細は、非特許文献５（参照によって本明細書に組み込まれている）に記載されている。
【００７３】
リリース８／９とは異なり、ＬＥＴ−Ａの場合、ＵＥは、ＰＵＳＣＨとＰＵＣＣＨの同時送信、マルチクラスタスケジューリング、および複数のコンポーネントキャリアでの同時送信にも対処しなければならず、これらの処理では、リリース８／９と比較して大きなＭＰＲ値が要求され、さらに、適用されるＭＰＲ値の変動が大きい。
【００７４】
なお、ｅＮＢは、各コンポーネントキャリアに対してＵＥによって適用される電力低減を認識しておらず、なぜなら実際の電力低減は、割当てのタイプ、標準化されているＭＰＲ値、さらにはＵＥの実装に依存するためである。したがって、ｅＮＢは、ＵＥがＰＨＲを計算するときの基準となるコンポーネントキャリアに固有な最大送信電力を認識していない。リリース８／９においては、例えばＵＥの最大送信電力Ｐｃｍａｘは、上述したように何らかの特定の範囲内とすることができる。
ＰＣＭＡＸ＿Ｌ≦ＰＣＭＡＸ≦ＰＣＭＡＸ＿Ｈ
【００７５】
コンポーネントキャリアの最大送信電力にＵＥによって適用される電力低減は、ｅＮＢによって認識されないため、リリース１０においては、新規の電力ヘッドルームＭＡＣ制御エレメント（拡張電力ヘッドルームＭＡＣ制御エレメントとも称される）を導入することが合意された。リリース８／９における電力ヘッドルーム（ＰＨＲ）ＭＡＣ制御エレメントのフォーマットとの主たる違いとして、新規の電力ヘッドルームには、アクティブなアップリンクコンポーネントキャリアごとにリリース８／９の電力ヘッドルーム値が含まれ、したがって新規の電力ヘッドルームは可変サイズである。さらに、新規の電力ヘッドルームは、コンポーネントキャリアの電力ヘッドルーム値のみならず、対応するＰｃｍａｘ，ｃ（インデックスｃを有するコンポーネントキャリアの最大送信電力）も報告する。ＰＵＳＣＨおよびＰＵＣＣＨの同時送信を考慮する目的で、ＵＥは、ＰＣｅｌｌについて、ＰＵＳＣＨのみの送信に関連するリリース８／９の電力ヘッドルーム値（タイプ１の電力ヘッドルームと称する）を報告し、ＵＥがＰＵＳＣＨおよびＰＵＣＣＨの同時送信に対応するように構成されている場合、ＰＵＣＣＨおよびＰＵＳＣＨの送信を考慮するさらなる電力ヘッドルーム値（タイプ２の電力ヘッドルームとも称する）を報告する。
【００７６】
ＭＰＲ／Ａ−ＭＰＲ電力低減によって、またはＰ−ＭＰＲを適用することに起因して、最大送信電力が低減されたかをｅＮＢ側で認識できるようにする目的で、拡張電力ヘッドルームＭＡＣ  ＣＥに１ビットのインジケータ（Ｐビットとも称する）が導入された。より詳細には、電力管理による電力バックオフ（Ｐ−ＭＰＲ）が適用されていない場合に、対応する最大送信電力（ＰＣＭＡＸ，ｃ）が異なる値を持つならば、ＵＥはＰ＝１を設定する。本質的に、このＰビットは、Ｐ−ＭＰＲによって影響されるＰＨＲ報告を、ｅＮＢにおけるＭＰＲ学習アルゴリズム（MPR-learning algorithm）から削除する目的で、ｅＮＢによって使用され、すなわちｅＮＢは、特定のリソース割当てに対してＵＥが使用するＭＰＲ値を内部テーブルに格納する。
【００７７】
図９に示した拡張電力ヘッドルームＭＡＣ制御エレメントに関するさらなる詳細については、例えば非特許文献２（３ＧＰＰのウェブサイトにおいて入手可能であり、参照によって本明細書に組み込まれている）の６．１．３．６ａ節を参照されたい。
【００７８】
タイプ１の電力ヘッドルームは、実際にＰＵＳＣＨが送信されないサブフレームについても報告することができる。この特殊なＰＨＲは、仮想ＰＨＲとも称される。このような場合、上に示した電力ヘッドルーム報告の式における１０ｌｏｇ１０（ＭＰＵＳＣＨ（ｉ））およびΔＴＦ，ｃ（ｉ）を０に設定する。パスロス（ＰＬ）の値、受信したＴＰＣコマンドｆ（ｉ）の値、およびコンポーネントキャリアに固有な他の定数（Ｐ０＿ＰＵＳＣＨ（ｊ），ａ）の値は、たとえアップリンクデータ送信が行われない場合にも、アップリンクコンポーネントキャリアに対して決定することができる。
ＰＨｖｉｒｔｕａｌ，ｃ（ｉ）＝ＰＣＭＡＸ，Ｈ，ｃ−｛Ｐ０＿ＰＵＳＣＨ（ｊ）＋ａ（ｊ）＋ＰＬｃ＋ｆ（ｉ）｝
【００７９】
この値は、最小限のリソース割当て（Ｍ＝１）と、ΔＴＦ，ｃ（ｉ）＝０ｄＢに関連付けられる変調・符号化方式とに対応するデフォルトの送信設定を想定したときの電力ヘッドルームとみなすことができる。
キャリアに固有な最大送信電力Ｐ~CMAX,c(i)は、以下を想定して計算される。
ＭＰＲ＝０ｄＢ
Ａ−ＭＰＲ＝０ｄＢ
Ｐ−ＭＰＲ＝０ｄＢ
ΔＴＣ＝０ｄＢ
本質的に、Ｐ~CMAX,c(i)は、ＰＣＭＡＸ＿Ｈ，ｃ＝ＭＩＮ｛ＰＥＭＡＸ，ｃ，ＰＰｏｗｅｒＣｌａｓｓ｝に等しい。
【００８０】
タイプ１の電力ヘッドルーム報告と同様に、タイプ２の電力ヘッドルームは、ＰＵＳＣＨのＰＵＣＣＨの一方または両方が送信されないサブフレームについて報告することができる。この場合、最小限のリソース割当て（Ｍ＝１）と、ＰＵＳＣＨについてはΔＭＣＳ＝０ｄＢ、およびＰＵＣＣＨについては０に設定されたｈ（ｎＣＱＩ，ｎＨＡＲＱ，ｎＳＲ），ΔＦ＿ＰＵＣＣＨ（Ｆ），ΔＴｘＤ（Ｆ’）を想定して、ＰＵＳＣＨもしくはＰＵＣＣＨまたはその両方の仮想送信電力が計算される。電力ヘッドルームの計算に関するさらなる詳細については、参照によって本明細書に組み込まれている非特許文献３に記載されている。
【００８１】
スモールセル
モバイルデータの爆発的な需要によって、移動体事業者が、より高い容量およびユーザ体感品質（ＱｏＥ）の向上という難しい要求に応えていくために必要な方策が変わりつつある。現在、３Ｇ／３．５Ｇシステムよりも低いレイテンシかつ高い効率でのより高速なアクセスを提供する目的で、ＬＴＥを使用した第４世代の無線アクセスシステムが世界中の多くの事業者によって配備されつつある。それにもかかわらず、予測される今後のトラフィックの拡大は極めて大きく、特に、最大量のトラフィックが発生する高トラフィックエリア（ホットスポットエリア）においては、要求される容量に対処するため、ネットワークをさらに高密度化する必要性が大幅に高まる。ネットワークの高密度化（ネットワークノードの数を増やすことによって、ユーザ端末からネットワークノードまでの物理的距離を縮める）は、トラフィック容量を向上させて無線通信システムの達成可能なユーザデータ速度を高めるうえで鍵を握る方策である。
【００８２】
ネットワークの高密度化は、マクロノードの配備を単純に高密度化することに加えて、既存のマクロノードレイヤ（macro-node layer）のカバレッジのもとで補助的な低電力ノード（low-power node）またはスモールセルを配備することによって、達成することができる。このように異なるタイプのノードを配備する場合、低電力ノードは、局所的に（例えば屋内および屋外のホットスポットエリアにおいて）、極めて高いトラフィック容量および極めて高いユーザスループットを提供する。その一方で、マクロレイヤは、カバレッジエリア全体にわたりサービスの可用性およびＱｏＥを確保する。言い換えれば、低電力ノードを含むレイヤは、広いエリアをカバーするマクロレイヤとは対照的に、ローカルエリアアクセスを提供するとも言える。
【００８３】
低電力ノードまたはスモールセルの設置と、異なるタイプのノードの配備は、ＬＴＥの最初のリリースから可能である。これに関連して、ＬＴＥの最近のリリース（すなわちリリース１０／１１）において、多数の解決策が規定されている。より具体的には、これらのリリースでは、異なるタイプのノードが配備されているときのレイヤ間干渉に対処するための追加の方策・機能が導入された。パフォーマンスをさらに最適化し、コストおよびエネルギの面で効率的な動作を提供するためには、スモールセルにさらなる機能強化が要求され、多くの場合、既存のマクロセルと情報をやりとりする、あるいはマクロセルを補助する必要がある。このような解決策は、ＬＥＴリリース１２以降のさらなる進化・発展において検討されるであろう。特に、低電力ノードと、異なるタイプのノードの配備に関連するさらなる機能強化は、新しいリリース１２のStudy Item（ＳＩ）である「Study on Small Cell Enhancements for E-UTRA and E-UTRAN」のもとで考慮される。これらの検討作業のいくつかでは、低電力レイヤおよびデュアルレイヤコネクティビティをマクロレイヤがさまざまな形で支援するなど、マクロレイヤと低電力レイヤとの間のインターワーキングをさらに高いレベルで達成することに焦点が当てられる。デュアルコネクティビティは、デバイスがマクロレイヤおよび低電力レイヤの両方に同時に接続することを意味する。
【００８４】
以下では、スモールセルの機能強化に関するこのStudy Itemにおいて想定されている、配備上のいくつかのシナリオについて説明する。以下のシナリオにおいては、非特許文献７において非理想的バックホール（non-ideal backhaul）として分類されているバックホール技術が想定される。
【００８５】
理想的バックホール（すなわち、光ファイバを使用する専用ポイントツーポイント接続など、スループットが極めて高くレイテンシが極めて低いバックホール）と、非理想的バックホール（すなわち、ｘＤＳＬ、マイクロ波、その他のバックホール（例：中継）など、市場において広く使用されている一般的なバックホール）の両方を検討するべきである。この場合、パフォーマンスとコストのトレードオフを考慮するべきである。
【００８６】
次の表は、事業者からの情報に基づく非理想的バックホールの分類を示している。
【表１】
2018191330.tif 000003
【００８７】
このStudy Itemでは、遠隔無線ヘッド（ＲＲＨ：Remote Radio Head）を配備するために使用することのできるファイバアクセスは想定されていない。ホーム基地局（ＨｅＮＢ）は除外されないが、たとえホーム基地局の送信電力がピコ基地局（Ｐｉｃｏ  ｅＮＢ）の送信電力より低い場合でも、配備のシナリオおよび課題に関してピコ基地局と区別されない。以下の３つのシナリオが考慮されている。
【００８８】
シナリオ１は、図１０に示してあり、同じキャリア周波数（同一周波数）のマクロセルとスモールセルとが非理想的バックホールを介して接続される配備シナリオである。ユーザは、屋外および屋内の両方に分布する。
【００８９】
シナリオ２は、図１１および図１２に示してあり、異なるキャリア周波数（異周波数）のマクロセルとスモールセルとが非理想的バックホールを介して接続される配備シナリオである。ユーザは、屋外および屋内の両方に分布する。本質的に２つの異なるシナリオ２が存在し（本明細書においてはシナリオ２ａおよびシナリオ２ｂと称する）、違いとして、シナリオ２ｂにおいてはスモールセルの屋内配備が考慮される。
【００９０】
シナリオ３は、図１３に示してあり、１つまたは複数のキャリア周波数のスモールセルのみが非理想的バックホールリンクを介して接続される配備シナリオである。
【００９１】
配備シナリオごとに、さらに検討する必要のある異なる課題／問題が存在する。Study Itemの段階で、各配備シナリオにおけるこのような課題が認識され、非特許文献８に記載されている。これらの課題／問題に関するさらなる詳細については、この非特許文献８を参照されたい。
【００９２】
非特許文献８の５節に記載されている認識された課題を解決する目的で、このStudy Itemでは、非特許文献７に規定されている要件に加えて、以下の設計目標が考慮されている。
モビリティ（移動性）の堅牢性（ロバスト性）に関して：
−  ＲＲＣ＿ＣＯＮＮＥＣＴＥＤ状態のＵＥにおいては、スモールセルの配備によって達成されるモビリティのパフォーマンスは、マクロセルのみのネットワークにおけるモビリティのパフォーマンスに匹敵するべきである。
頻繁なハンドオーバーに起因するシグナリング負荷の増大に関して：
−  新しい解決策は、コアネットワークに向かうシグナリング負荷が過度に増大する結果とならないようにするべきである。しかしながら、スモールセルの機能強化に起因する追加のシグナリング負荷およびユーザプレーントラフィック負荷も考慮するべきである。
ユーザあたりのスループットおよびシステム容量の改善に関して：
−  ＱｏＳ要件を考慮しながら、理想的バックホールの配備の場合に近いユーザあたりのスループットおよびシステム容量を達成する目的で、マクロセルおよびスモールセルにまたがって無線リソースを利用することを目標とするべきである。
【００９３】
デュアルコネクティビティ
３ＧＰＰ  ＲＡＮワーキンググループにおいて現在検討されている問題に対する１つの有望な解決策は、いわゆる「デュアルコネクティビティ」のコンセプトである。用語「デュアルコネクティビティ」は、１つのＵＥが、非理想的バックホールを介して接続されている少なくとも２つの異なるネットワークノードによって提供される無線リソースを消費する動作を意味する。本質的には、ＵＥは、マクロセル（マクロｅＮＢ）とスモールセル（セカンダリｅＮＢまたはスモールｅＮＢ）の両方に接続される。さらに、ＵＥのデュアルコネクティビティに関与する各ｅＮＢは、異なる役割を担うことができる。これらの役割は必ずしもｅＮＢの電力クラスに依存せず、またＵＥごとに異なっていてよい。
【００９４】
このStudy Itemは現時点では極めて初期段階にあるため、デュアルコネクティビティに関する詳細はまだ決定されていない。例えば、アーキテクチャがまだ合意されていない。したがって、現時点では多くの課題／細部（例えばプロトコルの機能強化）が依然として決まっていない。図１４は、デュアルコネクティビティの例示的なアーキテクチャを示している。ただしこのアーキテクチャは、１つの可能なオプションにすぎないことを理解されたい。本開示は、この特定のネットワーク／プロトコルのアーキテクチャに限定されず、さらに一般的に適用することができる。本明細書においては、アーキテクチャに関して以下を想定する。
−  各パケットを処理するセルをベアラレベルで決定し、制御プレーンとユーザプレーンを分割する。一例として、ＵＥへのＲＲＣシグナリングと、ＶｏＬＴＥなど高いＱｏＳのデータは、マクロセルによって処理することができ、ベストエフォート型データはスモールセルが処理する。
−  ベアラ間の結合は行わない。したがって、マクロセルとスモールセルとの間に共通のＰＤＣＰやＲＬＣは要求されない。
−  ＲＡＮノード間の協調は緩い。
−  スモールｅＮＢ（ＳｅＮＢ）はサービングゲートウェイ（Ｓ−ＧＷ）に接続しない（すなわちパケットはマクロｅＮＢ（ＭｅＮＢ）によって転送される）。
−  スモールセルはコアネットワーク（ＣＮ）に透過的である。
【００９５】
最後の２つの想定に関して、スモールｅＮＢがサービングゲートウェイに直接接続する（すなわちＳ１−ＵはサービングゲートウェイとスモールｅＮＢとの間である）ことも可能であることに留意されたい。ベアラのマッピング／分割に関して、本質的には以下の３つの異なるオプションが存在する。
−  オプション１：Ｓ１−ＵがスモールｅＮＢにおいても終端する（図１５Ａに示した）。
−  オプション２：Ｓ１−ＵがマクロｅＮＢにおいて終端し、ベアラはＲＡＮ内で分割されない（図１５Ｂに示した）。
−  オプション３：Ｓ１−ＵがマクロｅＮＢにおいて終端し、ベアラはＲＡＮ内で分割される（図１５Ｃに示した）。
【００９６】
図１５Ａ〜図１５Ｃは、一例としてユーザプレーンデータのダウンリンク方向に関する３つのオプションを示している。説明を目的として、本出願においては主としてオプション２が想定されており、図１４もオプション２に基づいている。
【００９７】
図１５Ａ〜図１５Ｃに示したようにユーザプレーンデータの分割に関する検討に加えて、ユーザプレーンのアーキテクチャに関してさまざまな代替形態も検討されている。
【００９８】
共通する認識として、Ｓ１−ＵインタフェースがマクロｅＮＢにおいて終端するときには（図１５Ｂ、図１５Ｃ）、スモールｅＮＢにおけるプロトコルスタックは、少なくともＲＬＣ（再）セグメンテーションをサポートしなければならない。この理由として、ＲＬＣ（再）セグメンテーションは物理インタフェースに密接に関連する動作であり（例：ＭＡＣレイヤがＲＬＣ  ＰＤＵのサイズを示す）（上の説明を参照））、非理想的バックホールが使用されるときには、ＲＬＣ  ＰＤＵを送信するノードと同じノードにおいてＲＬＣ（再）セグメンテーションを行わなければならないためである。
【００９９】
従来技術の電力制御の欠点
前のセクションで説明したように、スモールセルおよびデュアルコネクティビティは最近開発されたばかりであり、効率的なシステムを可能にするために対処する必要のあるいくつかの問題点が依然として存在する。
【０１００】
上に説明したデュアルコネクティビティのシナリオでは、リリース１２において、ＵＥからマクロｅＮＢおよびスモールｅＮＢの両方への同時アップリンク送信（デュアル送信とも称される）がサポートされる。２つの独立したスケジューラ（一方はマクロｅＮＢに属するスケジューラ、他方はスモールｅＮＢに属するスケジューラ）が存在し、各スケジューラは、互いに独立してＵＥのアップリンク送信をスケジューリングする。より詳細には、一方のセルにおいてスケジューリングされたアップリンクリソース割当ては、他方のセルにおいて認識されない。言い換えれば、マクロｅＮＢのスケジューラは、スモールｅＮＢによって行われたアップリンクスケジューリングの決定を認識せず、逆も同様である。
【０１０１】
この理由のため、ＵＥの電力が制限される（すなわち大きすぎる電力を伴う２つのアップリンク送信がスケジューリングされたときにＵＥの最大総送信電力を超える）確率が高まる。
【０１０２】
このことは図１６に示してあり、図１６は、２つのアップリンク送信（１つはマクロｅＮＢへの送信、もう１つはスモールｅＮＢへの送信）がＵＥに対してスケジューリングされて、電力が制限される状況を示している。図から明らかであるように、この同時のアップリンク送信では、ＵＥの最大総送信電力を超え、このためＵＥは、２つのアップリンク送信に使用される合計電力がＵＥの最大総送信電力よりも低く維持されるように、これらのアップリンク送信に対して電力スケーリングを実行する。このような電力スケーリングにより、スケジューリングの効率およびパフォーマンスが低下する。
【先行技術文献】
【非特許文献】
【０１０３】
【非特許文献１】3GPP TS 36.211, "Evolved Universal Terrestrial Radio Access (E-UTRA); Physical Channels and Modulation", version 8.9.0
【非特許文献２】3GPP TS 36.321, "Evolved Universal Terrestrial Radio Access (E-UTRA); Medium Access Control (MAC) protocol specification", version 10.0.0
【非特許文献３】3GPP TS 36.213, "Evolved Universal Terrestrial Radio Access (E-UTRA); Physical layer procedures", version 8.8.0
【非特許文献４】3GPP TS 36.133, "Requirements for support of radio resource management", version 8.7.0
【非特許文献５】3GPP TS 36.101, "Evolved Universal Terrestrial Radio Access (E-UTRA); User Equipment (UE) radio transmission and reception", version 8.7.0
【非特許文献６】TS36.331
【非特許文献７】TR 36.932
【非特許文献８】TR 36.842
【発明の概要】
【発明が解決しようとする課題】
【０１０４】
本発明を制限することのない例示的な一実施形態は、移動局がマスター基地局およびセカンダリ基地局とのデュアルコネクティビティの状態にある移動通信システムにおいて、上述した従来技術の問題が回避される、電力制御の改良された方法を提供する。別の例示的な実施形態は、デュアルコネクティビティのシナリオの場合の改良された電力制御を支援するための電力ヘッドルーム報告方法を提供する。
【０１０５】
開示する実施形態のさらなる恩恵および利点は、本明細書および図面から明らかになるであろう。これらの恩恵および利点は、本明細書および図面に開示したさまざまな実施形態および特徴によって個別に提供することができ、これらの恩恵および利点の１つまたは複数を得るためにすべてを備える必要はない。
【課題を解決するための手段】
【０１０６】
一般的な一態様においては、本明細書に開示する技術は、移動通信システムにおいて電力ヘッドルーム報告が可能な移動局を制御する集積回路であって、前記移動局は、第１の無線リンクを介してマスター基地局に接続可能であり、かつ、第２の無線リンクを介して少なくとも１つのセカンダリ基地局に接続可能であり、前記移動局と前記マスター基地局との間の前記第１の無線リンクの第１の電力ヘッドルーム報告を前記移動局によって計算する処理と、前記計算された第１の電力ヘッドルーム報告を、前記移動局と前記セカンダリ基地局との間の前記第２の無線リンクのパスロスに関する情報を前記マスター基地局が決定することを可能にする情報とともに、前記移動局から前記マスター基地局に送信する処理と、前記移動局と前記セカンダリ基地局との間の前記第２の無線リンクの第２の電力ヘッドルーム報告を前記移動局によって計算し、前記計算された第２の電力ヘッドルーム報告を前記移動局から前記セカンダリ基地局に送信する処理と、を制御する、集積回路、を特徴とする。
【０１０７】
この一般的な態様は、システム、デバイス、およびコンピュータプログラムによって実施する、または、システム、デバイス、コンピュータプログラムの任意の組合せによって実施することができる。
【図面の簡単な説明】
【０１０８】
【図１】３ＧＰＰ  ＬＴＥシステムの例示的なアーキテクチャを示している。
【図２】３ＧＰＰ  ＬＴＥのＥ−ＵＴＲＡＮアーキテクチャ全体の例示的な概要を示している。
【図３】３ＧＰＰ  ＬＴＥ（リリース８／９）において定義されているダウンリンクコンポーネントキャリアの例示的なサブフレーム境界を示している。
【図４】３ＧＰＰ  ＬＴＥ（リリース８／９）において定義されているダウンリンクスロットの例示的なダウンリンクリソースグリッドを示している。
【図５】ダウンリンクのキャリアアグリゲーションが有効になっている状態における３ＧＰＰ  ＬＴＥ−Ａ（リリース１０）のレイヤ２構造を示している。
【図６】アップリンクのキャリアアグリゲーションが有効になっている状態における３ＧＰＰ  ＬＴＥ−Ａ（リリース１０）のレイヤ２構造を示している。
【図７】移動端末のＤＲＸ動作と、特に、短ＤＲＸサイクルおよび長ＤＲＸサイクルによるＤＲＸ機会およびオン期間を示している。
【図８】３ＧＰＰ  ＬＴＥ（リリース８／９）に定義されている電力ヘッドルーム報告（ＰＨＲ）のＭＡＣ制御エレメントを示している。
【図９】３ＧＰＰ  ＬＴＥ（リリース１０）に定義されている拡張電力ヘッドルーム報告（ｅＰＨＲ）のＭＡＣ制御エレメントを示している。
【図１０】スモールセルを機能強化するための配備シナリオとして、マクロセルとスモールセルが同じキャリア周波数を使用する場合を示している。
【図１１】スモールセルを機能強化するためのさらなる配備シナリオとして、マクロセルとスモールセルが異なるキャリア周波数を使用し、スモールセルが屋外である場合を示している。
【図１２】スモールセルを機能強化するためのさらなる配備シナリオとして、マクロセルとスモールセルが異なるキャリア周波数を使用し、スモールセルが屋内である場合を示している。
【図１３】スモールセルを機能強化するためのさらなる配備シナリオとして、スモールセルのみを備える場合を示している。
【図１４】マクロｅＮＢおよびスモールｅＮＢがコアネットワークに接続される二重接続における通信システムアーキテクチャの概要を示しており、Ｓ１−ＵインタフェースがマクロｅＮＢにおいて終端し、ＲＡＮ内でベアラが分割されない場合である。
【図１５Ａ】サービングゲートウェイとＵＥとの間の２本の個別のＥＰＳベアラを有する場合の複数の異なるオプションを示している。
【図１５Ｂ】サービングゲートウェイとＵＥとの間の２本の個別のＥＰＳベアラを有する場合の複数の異なるオプションを示している。
【図１５Ｃ】サービングゲートウェイとＵＥとの間の２本の個別のＥＰＳベアラを有する場合の複数の異なるオプションを示している。
【図１６】従来技術における、電力が制限されるシナリオを示しており、ＵＥがマクロｅＮＢおよびスモールｅＮＢの両方に接続され、マクロｅＮＢおよびスモールｅＮＢのそれぞれが、自身にアップリンク送信するためのＵＥの出力電力を独立して制御する場合である。
【図１７】代替の一実施例による、電力パラメータＰＥＭＡＸ，ＭｅＮＢおよびＰＥＭＡＸ，ＳｅＮＢの初期値をマクロｅＮＢからスモールｅＮＢおよびＵＥに配信する状況を示している。
【図１８】別の代替実施例による、電力パラメータＰＥＭＡＸ，ＭｅＮＢおよびＰＥＭＡＸ，ＳｅＮＢの初期値をマクロｅＮＢからスモールｅＮＢおよびＵＥに配信する状況を示している。
【図１９】さらに別の代替実施例による、電力パラメータＰＥＭＡＸ，ＭｅＮＢおよびＰＥＭＡＸ，ＳｅＮＢの初期値をマクロｅＮＢからスモールｅＮＢおよびＵＥに配信する状況を示している。
【図２０】本開示の一実施例による、電力ヘッドルーム報告のＭＡＣ制御エレメント（ＣＥ）の構造を示しており、このＭＡＣ制御エレメントは、ＰＥＭＡＸ，ＳｅＮＢと同じである仮想ＰＣＭＡＸ，ＳｅＮＢをスモールｅＮＢに知らせるために使用され、第２の無線リンクの拡張電力ヘッドルーム報告に加えて、第２の無線リンクの仮想電力ヘッドルーム報告および仮想ＰＣＭＡＸ，ＳｅＮＢがさらに含まれている。
【図２１】本開示の一実施例による、ＵＥによって実行される修正改良された電力ヘッドルーム報告方法を示しており、第２の無線リンクの拡張電力ヘッドルーム報告がスモールｅＮＢに送信され、第２の無線リンクのパスロスをマクロｅＮＢに知らせるために、第１の無線リンクの拡張電力ヘッドルーム報告に加えて、第２の無線リンクの仮想電力ヘッドルーム報告がさらに送信される。
【図２２】本開示の一実施例による、電力ヘッドルーム報告のＭＡＣ制御エレメントの構造を示しており、このＭＡＣ制御エレメントは、図２１のＰＨＲ送信に関連して使用することができ、すなわち第１の無線リンクの拡張電力ヘッドルーム報告と第２の無線リンクの仮想電力ヘッドルーム報告を含む。
【図２３】第２の無線リンクの電力ヘッドルーム報告のＭＡＣ制御エレメントの構造を示しており、このＭＡＣ制御エレメントは、図２１のＰＨＲ送信に関連して使用することができ、すなわち第２の無線リンクの拡張電力ヘッドルーム報告を含む。
【発明を実施するための形態】
【０１０９】
以下では、移動局はデュアルコネクティビティの状態にあり、したがってマスター基地局およびセカンダリ基地局の両方にそれぞれの無線リンクを介して接続されているものと想定する。上に説明したように、この想定されたシナリオに関連する問題点の１つとして、マスター基地局およびセカンダリ基地局における２つのスケジューラが、互いに独立して移動局のアップリンク送信をスケジューリングする。さらなる問題点として、マスター基地局およびセカンダリ基地局は、移動局がこれらの基地局へのアップリンク送信に使用する電力についても、独立して制御する。図１６に例示的に示した、電力が制限される状況（すなわち移動局は自身の電力出力限界の範囲内となるように電力出力を下げるため電力スケーリングを実行する必要がある）を回避する目的で、本開示では以下のように提案する。
【０１１０】
本開示の第１の態様によると、移動局の電力制御を、主として単一の基地局（マスター基地局またはセカンダリ基地局）によって制御する。以下では、説明のみを目的として、本開示のこの第１の態様による電力制御は、マスター基地局によって実行され、セカンダリ基地局によって実行されないものと想定する。当然ながら、本開示のこの第１の態様は、移動局の電力を制御する基地局がセカンダリ基地局であるシナリオにも、対応する必要な変更を行ったうえで、適用される。
【０１１１】
したがって、マスター基地局は、移動局がアップリンク送信に利用できる最大出力電力を、マスター基地局へのアップリンク送信とセカンダリ基地局へのアップリンク送信の間で分配する役割を担う。２つの基地局の間での電力分配の比率は、基地局および目的の通信のさまざまなパラメータを考慮することによって定義することができ、この場合のパラメータは、例えば、移動局から２つの基地局への無線リンクにおけるパスロス、２つの基地局のトラフィック負荷、２つの基地局への２本の無線リンクに利用可能なリソース、のうちの１つまたは複数である。
【０１１２】
パスロスに関する情報は、マスター基地局において、例えば測定によって、または仮想電力ヘッドルーム報告を受信することによって、決定することができる（後の説明を参照）。負荷の情報は、セカンダリ基地局から直接受信する、またはマスター基地局が、セカンダリ基地局の無線ベアラを対象とする、受信したバッファ状態報告から導く。
【０１１３】
電力分配比率は、例えば、マスター基地局へのアップリンク送信用に、移動局の最大出力電力の５０％、セカンダリ基地局へのアップリンク送信用に、移動局の最大出力電力の残りの５０％とすることができる。当然ながら、任意の別の電力分配比率（例えば４０：６０、７５：２５など）も可能である。
【０１１４】
したがって、マスター基地局は、２つのパラメータ、すなわち、１）マスター基地局へのアップリンク送信用の移動局の最大出力電力（ＰＥＭＡＸ，ＭｅＮＢ）、および、２）セカンダリ基地局へのアップリンク送信用の移動局の最大出力電力（ＰＥＭＡＸ，ＳｅＮＢ）、を決定する。これらのパラメータは、各基地局へのアップリンク送信を実行するときに移動局によって使用される。
【０１１５】
これらのパラメータを決定した時点で、他のエンティティ（すなわちセカンダリ基地局および移動局）にパラメータを知らせる。このステップは多数の方法において行うことができ、以下ではそのうちのいくつかを具体的に開示する。
【０１１６】
第１の代替方法によると、マスター基地局が、必要なパラメータをセカンダリ基地局および移動局に知らせるためのステップを実行し、すなわち、１）セカンダリ基地局へのアップリンク送信用として決定した移動局の最大出力電力（ＰＥＭＡＸ，ＳｅＮＢ）を、マスター基地局からセカンダリ基地局に送信し、２）セカンダリ基地局へのアップリンク送信用として決定した移動局の最大出力電力（ＰＥＭＡＸ，ＳｅＮＢ）を、マスター基地局から移動局に送信し、３）マスター基地局へのアップリンク送信用として決定した移動局の最大出力電力（ＰＥＭＡＸ，ＭｅＮＢ）を、マスター基地局から移動局に送信する。
【０１１７】
第２の代替方法によると、マスター基地局は、セカンダリ基地局へのアップリンク送信用として決定した移動局の最大出力電力（ＰＥＭＡＸ，ＳｅＮＢ）を、セカンダリ基地局に送信し、マスター基地局へのアップリンク送信用として決定した移動局の最大出力電力（ＰＥＭＡＸ，ＭｅＮＢ）を、移動局に送信する。次いで、第１の代替方法とは異なり、セカンダリ基地局が、マスター基地局から受信した、セカンダリ基地局へのアップリンク送信用の移動局の最大出力電力（ＰＥＭＡＸ，ＳｅＮＢ）を、移動局に転送する。
【０１１８】
さらなる第３の代替方法によると、マスター基地局は、セカンダリ基地局へのアップリンク送信用として決定した移動局の最大出力電力（ＰＥＭＡＸ，ＳｅＮＢ）と、マスター基地局へのアップリンク送信用として決定した移動局の最大出力電力（ＰＥＭＡＸ，ＭｅＮＢ）の両方を、移動局に送信する。次いで、移動局が、セカンダリ基地局へのアップリンク送信用として決定された移動局の最大出力電力（ＰＥＭＡＸ，ＳｅＮＢ）に関する情報を、セカンダリ基地局に提供する。このステップは、さまざまな方法において行うことができ、例えば、第２の無線リンクに関する電力ヘッドルーム報告に関連する個別のパラメータとして、または第２の無線リンクに関する仮想電力ヘッドルーム報告の一部として、行うことができる（後からさらに詳しく説明する）。
【０１１９】
いずれの場合にも、２つの基地局および移動局は、電力分配に関する情報を取得し、したがって電力が制限される状況が生じるリスクを最小限に抑えて電力制御を実行することができ、なぜなら、アップリンクスケジューリングおよび電力制御は、移動局の利用可能な最大出力電力を超えないように基地局によって実行されるためである。
【０１２０】
この第１の態様に関連するさらなる改良形態によると、マスター基地局によって最初に定義される電力分配比率を監視し、（必要な場合に）更新する。特に移動局は、これに関連して必要な情報を、電力分配を制御する役割を担うマスター基地局に提供する。すでに上述したように、マスター基地局が電力分配比率を決定するときの基礎となる１つの基準は、移動局とマスター基地局、および移動局とセカンダリ基地局の間のそれぞれの無線リンクにおけるパスロスに関する情報である。したがって、移動局は、パスロスに関する適切な情報をマスター基地局に提供することによって、電力分配比率を更新できるようにマスター基地局を支援する。
【０１２１】
最初に、マスター基地局は、移動局とマスター基地局との間の第１の無線リンクにおけるパスロスに関する情報を、移動局から受信される、第１の無線リンクに関する通常の電力ヘッドルーム報告から決定することができる。電力ヘッドルーム報告の中の電力ヘッドルーム値は、マスター基地局への第１の無線リンクにおけるパスロスに関する情報に基づいて移動局によって計算され、したがってマスター基地局は、第１の無線リンクにおけるパスロスに関するこの情報を、受信した電力ヘッドルーム値から導くことができる。さらには、マスター基地局に提供される、第１の無線リンクのモビリティ測定報告（すなわちＲＳＲＰ／ＲＳＲＱ測定）から、パスロスの情報を導くこともできる。
【０１２２】
さらに、移動局とセカンダリ基地局との間の第２の無線リンクにおけるパスロスに関する対応する情報を、マスター基地局に提供する。このステップに関しては以下の点に留意されたい。すなわち、移動局によってセカンダリ基地局に送信される、移動局とセカンダリ基地局との間の第２の無線リンクの電力ヘッドルーム報告によって、セカンダリ基地局は、第２の無線リンクにおけるパスロスに関する情報を決定することができるが、マスター基地局はこの情報を決定することができない。なぜならマスター基地局は、セカンダリ基地局とは異なり、移動局が第２の無線リンクの電力ヘッドルーム報告を計算するときの基礎となったリソース割当てを認識していないためである。
【０１２３】
これに対して、第２の無線リンクの仮想電力ヘッドルーム報告は、セカンダリ基地局への第２の無線リンクを対象に事前に設定される仮想アップリンクリソース割当て（仮想アップリンクリソース割当ては事前に決定されるため、マスター基地局にも認識されている）に基づいて移動局によって計算される。したがって、この仮想電力ヘッドルーム報告によって、マスター基地局は、第２の無線リンクのパスロスに関する情報を決定することができる。
【０１２４】
したがって、第１の態様の１つの改良形態によると、第２の無線リンクにおけるパスロスに関する情報を移動局からマスター基地局に直接的に送信するのではなく、移動局は、第２の無線リンクの仮想電力ヘッドルーム報告を計算してそれをマスター基地局に送信することによって、マスター基地局が電力分配を決定および更新できるように支援する。セカンダリ仮想電力ヘッドルーム報告（すなわち第２の無線リンクの仮想電力ヘッドルーム報告）は、移動局とマスター基地局との間の第１の無線リンクの「通常の」電力ヘッドルーム報告とともに、移動局からマスター基地局に送信することが好ましい。
【０１２５】
したがって、本開示の第１の態様のこの改良形態によると、移動局によって実行される電力ヘッドルーム報告方法を次のように修正改良し、すなわち、移動局は、第１の無線リンクおよび第２の無線リンクの電力ヘッドルーム報告を通常の方法において実行し（すなわち、マスター基地局への第１の無線リンクに関する電力ヘッドルーム報告と、セカンダリ基地局への第２の無線リンクに関する電力ヘッドルーム報告）、さらにこれに加えて、移動局は、第２の無線リンクの仮想電力ヘッドルーム報告を計算し、これを第１の無線リンクの「通常の」電力ヘッドルーム報告とともに（すなわち同じメッセージ内で）、マスター基地局に送信する。
【０１２６】
上の説明において、第２の無線リンクまたは第１の無線リンクの「電力ヘッドルーム報告」という表現は、好ましくは拡張電力ヘッドルーム報告を意味し、拡張電力ヘッドルーム報告は、電力ヘッドルーム値に加えて、移動局からマスター基地局／セカンダリ基地局へのアップリンク送信用に移動局によって設定される、セルに固有な最大出力電力（ＰＣＭＡＸ，ＭｅＮＢ／ＰＣＭＡＸ，ＳｅＮＢ）（３ＧＰＰによって定義されており背景技術のセクションにおいて説明したＰＣＭＡＸ，ｃに似ている）を含む。
【０１２７】
結果として、マスター基地局には、両方の無線リンクにおけるパスロスに関する必要な情報が提供される。したがってマスター基地局は、変化するパスロス状況に応じて電力分配比率を調整することができる。次いで、マスター基地局は、更新された電力分配比率を適用するか否か、すなわち、マスター基地局およびセカンダリ基地局へのアップリンク送信用の移動局の最大出力電力の更新された値（ＰＥＭＡＸ，ＭｅＮＢ）／（ＰＥＭＡＸ，ＳｅＮＢ）を、上述したいくつかの代替方法のいずれかに従って配信することによって、電力分配比率を再設定するか否か、を決定することができる。いずれの代替方法の場合にも、セカンダリ基地局および移動局は、更新された値を受信してその値を採用するため、最大出力電力のこれらの新しい更新された値に従って、セカンダリ基地局はアップリンクスケジューリングを、移動局はアップリンク送信を実行することができる。
【０１２８】
ここまでは、マスター基地局が電力分配比率を更新するステップについて、主として、パスロスの変化と、移動局がパスロス（の変化）に関する情報を何らかの方法でマスター基地局に提供することによってマスター基地局を支援する方法とに関連して、説明してきた。
【０１２９】
本開示の第２の態様によると、別のケース、例えば、アップリンクの無線リンクが（例えば特定の最小時間長にわたり）使用されないケースや、（アップリンクの）無線リンクが使用不能であるケースにおいて、電力分配を更新するステップに関してマスター基地局を支援する追加の機能によって、移動局を拡張する。いずれのケースにおいても、アップリンクにおいて使用されない無線リンク、または使用不能である無線リンクに割り当てられる電力が、他方の無線リンクによって使用されるように電力分配が更新されるならば、有利である。以下ではこのことについて詳しく説明する。
【０１３０】
主たる発想として、移動局は、無線リンク（第１の無線リンクまたは第２の無線リンク）が非アクティブになるとき、または使用不能である（すなわち無線リンク障害）ときを判断し、そのことを他方の基地局に知らせる。したがって、移動局において利用可能な電力すべてが、（使用可能な、またはアクティブなアップリンク無線リンクを通じての）その他方の基地局へのアップリンク送信に割り当てられるように、電力分配比率を更新することができる。
【０１３１】
より詳細には、移動局は、第１の無線リンクが非アクティブになるときを判断する。すなわち移動局は、特定の時間にわたりマスター基地局にアップリンクでデータを送信しないことを予測する。このようなケースとしては、例えば、移動局がその第１の無線リンクにおいて不連続受信／送信モード（ＤＲＸ／ＤＴＸ）に入るケースが挙げられる。この場合、第１の無線リンクが非アクティブになることがセカンダリ基地局に知らされる。これにより、セカンダリ基地局は、セカンダリ基地局へのアップリンク送信用の移動局の最大出力電力の更新された値（ＰＥＭＡＸ，ＳｅＮＢ）を決定することができる。この更新された値は、具体的には最大出力電力全体である（なぜなら非アクティブである他方の無線リンクでのアップリンク送信用の電力が必要ないため）。次いで、この更新された値が移動局に送信され、移動局は、セカンダリ基地局にアップリンク送信するときに、最大出力電力の更新された値を採用する。
【０１３２】
同様に、移動局は、第２の無線リンクが非アクティブになるときを判断する。すなわち移動局は、特定の時間にわたりセカンダリ基地局にアップリンクでデータを送信しないことを予測する。このようなケースとしては、例えば、移動局がその第２の無線リンクにおいて不連続受信／送信モード（ＤＲＸ／ＤＴＸ）に入るケースが挙げられる。この特定の場合には、第２の無線リンクが非アクティブになることをマスター基地局に知らせ、これによりマスター基地局は、マスター基地局へのアップリンク送信のための移動局の最大出力電力の更新された値（ＰＥＭＡＸ，ＭｅＮＢ）を決定することができ、この更新された値は、具体的には最大出力電力全体である（なぜなら非アクティブである他方の無線リンクでのアップリンク送信用の電力が必要ないため）。次いで、この更新された値を移動局に送信することができ、したがって移動局は、マスター基地局にアップリンク送信するときに、最大出力電力の更新された値を採用する。
【０１３３】
上述したように、第２の無線リンクおよび第１の無線リンクが非アクティブになることを、それぞれ、マスター基地局およびセカンダリ基地局に知らせる方法としては、いくつかのオプションがあり、以下ではそのうちのいくつかを開示する。
【０１３４】
移動局は、第２の無線リンクがアップリンクにおいて非アクティブになることを認識すると、移動局とマスター基地局との間の第１の無線リンクの第１の電力ヘッドルーム報告を作成することができ、この第１の電力ヘッドルーム報告の中の所定のフラグを、第２の無線リンクがアップリンクにおいて非アクティブになることをマスター基地局に知らせるように設定することができ、次いで、このように作成した第１の電力ヘッドルーム報告をマスター基地局に送ることができる。これに代えて、移動局は、移動局とセカンダリ基地局との間の第２の無線リンクのセカンダリ仮想電力ヘッドルーム報告を作成することができ、このセカンダリ仮想電力ヘッドルーム報告の中の所定のフラグを、第２の無線リンクがアップリンクにおいて非アクティブになることをマスター基地局に知らせるように設定することができ、次いで、このように作成したセカンダリ仮想電力ヘッドルーム報告をマスター基地局に送ることができる。さらに別の代替方法によると、移動局は、第２の無線リンクのセカンダリ仮想電力ヘッドルーム報告を作成することができ、このとき、第２の無線リンクがアップリンクにおいて非アクティブになることを意味するものとしてマスター基地局によって認識される所定の電力ヘッドルーム値（例：負の値）を、このセカンダリ仮想電力ヘッドルーム報告に含める。次いで、このように作成したセカンダリ仮想電力ヘッドルーム報告を移動局からマスター基地局に送る。
【０１３５】
逆に、移動局とマスター基地局との間の第１の無線リンクがアップリンクにおいて非アクティブになることを移動局が認識したときには、移動局は、第２の無線リンクの第２の電力ヘッドルーム報告を作成することができ、この第２の電力ヘッドルーム報告の中の所定のフラグを、第１の無線リンクがアップリンクにおいて非アクティブになることをセカンダリ基地局に知らせるように設定することができ、次いで、このように作成した第２の電力ヘッドルーム報告をセカンダリ基地局に送ることができる。これに代えて、移動局は、第２の無線リンクのセカンダリ仮想電力ヘッドルーム報告を作成することができ、このセカンダリ仮想電力ヘッドルーム報告の中の所定のフラグを、第１の無線リンクがアップリンクにおいて非アクティブになることをセカンダリ基地局に知らせるように設定することができ、次いで、このように作成したセカンダリ仮想電力ヘッドルーム報告をセカンダリ基地局に送ることができる。さらに別の代替方法によると、移動局は、第２の無線リンクのセカンダリ仮想電力ヘッドルーム報告を作成することができ、このとき、第１の無線リンクがアップリンクにおいて非アクティブになることを意味するものとしてセカンダリ基地局によって認識される所定の電力ヘッドルーム値（例：負の値）を、このセカンダリ仮想電力ヘッドルーム報告に含める。次いで、このように作成したセカンダリ仮想電力ヘッドルーム報告を移動局からセカンダリ基地局に送る。
【０１３６】
第１の無線リンク／第２の無線リンクが非アクティブになることを報告する上の方法のさらなる改良形態によると、移動局は、第１の無線リンク／第２の無線リンクがアップリンクにおいて非アクティブであることが予測される時間長を決定／推定することができ、決定した時間長が所定の時間長（例えば１００ｍｓまたは２００ｍｓなど）を超える場合にのみ、対応する基地局（セカンダリ基地局／マスター基地局）にこの状況を知らせる。このように電力分配を再設定するメカニズムは効率的であり、非アクティブである時間が極めて短い場合には実行されないため、有利である。
【０１３７】
上述した第２の態様のさらに別の改良形態においては、基地局（マスター基地局またはセカンダリ基地局のうちの該当する基地局）は、特定の時間の後、移動局によって再び知らせる必要なしに、電力分配を前の状態に（すなわち更新する前の電力分配比率に）戻す。より詳細には、上に説明したように、移動局は、第２の無線リンク／第１の無線リンクが非アクティブになるときにそのことをマスター基地局／セカンダリ基地局に知らせ、これにより、マスター基地局／セカンダリ基地局は、電力分配を更新し、マスター基地局／セカンダリ基地局へのアップリンク送信に使用される最大出力電力の更新された値を移動局に提供する。第２の無線リンク／第１の無線リンクが再びアクティブになるときに、移動局がそのことをマスター基地局／セカンダリ基地局に再び知らせる必要がないようにする目的で、電力制御タイマを設定することが可能である。この電力制御タイマは、切れたとき、更新前の電力分配比率に戻すようにマスター基地局／セカンダリ基地局をトリガーする。電力制御タイマの値は、所定の値とする、または事前に設定することができる。またはさらなる改良形態によると、電力制御タイマの値は、各場合において移動局によって（無線リンクの非アクティブ時間が終了することが予測されるタイミングを最も正確に認識できるのはおそらくは移動局である）知らせることができる。通知方法は、例えば、電力制御タイマの対応する値をマスター基地局／セカンダリ基地局に直接的に送信することによって、または好ましくは、第２の無線リンク／第１の無線リンクが非アクティブになることをマスター基地局／セカンダリ基地局に知らせるために移動局からマスター基地局／セカンダリ基地局に送信されるセカンダリ仮想電力ヘッドルーム報告の（例えば負の）電力ヘッドルーム値に（上の説明を参照）、電力制御タイマの値を符号化することによる。
【０１３８】
上述した電力制御タイマは、マスター基地局／セカンダリ基地局へのアップリンク送信用の移動局の更新された最大出力電力を決定して送信するときに、マスター基地局／セカンダリ基地局によって起動させることが好ましく、特定の時間にわたり動作する（上の説明を参照）。
【０１３９】
同様に、前述した状況として、第１の無線リンク／第２の無線リンクが無線リンク障害状態に入る（すなわち使用不能になる）ことを移動局が認識する状況について、以下に説明する。
【０１４０】
移動局は、移動局からセカンダリ基地局への第２の無線リンクが無線リンク障害状態に入ることを認識したとき、使用可能な無線リンクを通じてそのことをマスター基地局に知らせる。このステップは、例えば以下の方法のいずれかに従って行うことができる。
【０１４１】
移動局は、セカンダリ基地局への第２の無線リンクの無線リンク障害を認識すると、移動局とマスター基地局との間の第１の無線リンクの第１の電力ヘッドルーム報告を作成し、この第１の電力ヘッドルーム報告の中の対応する所定のフラグを、第２の無線リンクの無線リンク障害をマスター基地局に知らせるように設定し、次いで、このように作成した、第１の無線リンクの第１の電力ヘッドルーム報告を、マスター基地局に送ることができる。これに代えて、移動局は、移動局とセカンダリ基地局との間の第２の無線リンクのセカンダリ仮想電力ヘッドルーム報告を作成することができ、このセカンダリ仮想電力ヘッドルーム報告の中の所定のフラグを、第２の無線リンクの無線リンク障害をマスター基地局に知らせるように設定することができ、次いで、このように作成したセカンダリ仮想電力ヘッドルーム報告をマスター基地局に送ることができる。さらに別の代替方法によると、移動局は、移動局とセカンダリ基地局との間の第２の無線リンクのセカンダリ仮想電力ヘッドルーム報告を作成することができ、このとき、第２の無線リンクの無線リンク障害を示すものとしてマスター基地局によって認識される所定の仮想電力ヘッドルーム値を、このセカンダリ仮想電力ヘッドルーム報告に含める。次いで、このように作成したセカンダリ仮想電力ヘッドルーム報告を移動局からマスター基地局に送る。
【０１４２】
マスター基地局は、第２の無線リンクの障害に関する情報を受信した後、マスター基地局へのアップリンク送信用の移動局の最大出力電力の更新された値（ＰＥＭＡＸ，ＭｅＮＢ）を決定することができる。次いで、マスター基地局は、この更新されたパラメータを移動局に送信する。例えば、マスター基地局は、移動局が自身の最大出力電力すべてを、マスター基地局へのアップリンク送信に使用できることを決定することができる。なぜなら第２の無線リンクの障害のためセカンダリ基地局にアップリンク送信することはできないためである。好ましい解決策によると、マスター基地局は、第２の無線リンクの無線リンク障害を解決するための適切な手順をさらに開始する。
【０１４３】
逆に、移動局がマスター基地局への第１の無線リンクの無線リンク障害を認識したときには、移動局は、第２の無線リンクの第２の電力ヘッドルーム報告を作成し、この第２の電力ヘッドルーム報告の中の対応する所定のフラグを、第１の無線リンクの無線リンク障害をセカンダリ基地局に知らせるように設定し、次いで、移動局は、このように作成した第２の電力ヘッドルーム報告をセカンダリ基地局に送る。これに代えて、移動局は、第２の無線リンクのセカンダリ仮想電力ヘッドルーム報告を作成し、このセカンダリ仮想電力ヘッドルーム報告の中の対応する所定のフラグを、第１の無線リンクの無線リンク障害をセカンダリ基地局に知らせるように設定し、次いで、このように作成したセカンダリ仮想電力ヘッドルーム報告をセカンダリ基地局に送る。さらに別の代替方法によると、移動局は、第２の無線リンクのセカンダリ仮想電力ヘッドルーム報告を作成し、このとき、第１の無線リンクの無線リンク障害を示すものとしてマスター基地局によって認識される所定の仮想電力ヘッドルーム値を、このセカンダリ仮想電力ヘッドルーム報告に含める。次いで、このように作成したセカンダリ仮想電力ヘッドルーム報告を移動局からセカンダリ基地局に送る。
【０１４４】
セカンダリ基地局は、第１の無線リンクの障害に関する情報を受信した後、セカンダリ基地局へのアップリンク送信用の移動局の最大出力電力の更新された値（ＰＥＭＡＸ，ＳｅＮＢ）を決定することができる。次いで、セカンダリ基地局は、この更新されたパラメータを移動局に送信する。例えば、セカンダリ基地局は、移動局が自身の最大出力電力すべてを、セカンダリ基地局へのアップリンク送信に使用できることを決定することができる。なぜなら第１の無線リンクの障害のためマスター基地局にアップリンク送信することはできないためである。好ましい解決策によると、セカンダリ基地局は、第１の無線リンクの無線リンク障害を解決するための適切な手順をさらに開始する。
【０１４５】
本開示の一実施形態は、移動通信システムにおける電力ヘッドルーム報告の方法を提供する。移動局は、第１の無線リンクを介してマスター基地局に接続されており、かつ、第２の無線リンクを介して少なくとも１つのセカンダリ基地局に接続されている。移動局は、移動局とマスター基地局との間の第１の無線リンクの第１の電力ヘッドルーム報告を計算する。移動局は、計算された第１の電力ヘッドルーム報告を、移動局とセカンダリ基地局との間の第２の無線リンクのパスロスに関する情報をマスター基地局が決定することを可能にする情報とともに、マスター基地局に送信する。さらに、移動局は、移動局とセカンダリ基地局との間の第２の無線リンクの第２の電力ヘッドルーム報告を計算し、計算された第２の電力ヘッドルーム報告を移動局からセカンダリ基地局に送信する。
【０１４６】
上の実施形態に加えて、または上の実施形態に代えて使用できる、本開示の実施形態の有利な変形形態によると、マスター基地局がパスロスに関する情報を決定するときに基づく情報は、移動局とセカンダリ基地局との間の第２の無線リンクのセカンダリ仮想電力ヘッドルーム報告の形で送信される。この場合、移動局は、セカンダリ基地局への第２の無線リンクを対象に事前に設定される仮想アップリンクリソース割当てに基づいて、移動局とセカンダリ基地局との間の第２の無線リンクのセカンダリ仮想電力ヘッドルーム報告を計算する。上の実施形態に加えて、または上の実施形態に代えて使用できる、本開示の実施形態の有利な変形形態によると、マスター基地局は、マスター基地局とセカンダリ基地局との間での、移動局の利用可能な最大送信電力の初期分配を決定する。このステップは、マスター基地局へのアップリンク送信用の移動局の最大出力電力（ＰＥＭＡＸ，ＭｅＮＢ）と、セカンダリ基地局へのアップリンク送信用の移動局の最大出力電力（ＰＥＭＡＸ，ＳｅＮＢ）と、を決定するステップ、を含む。セカンダリ基地局へのアップリンク送信用の移動局の決定された最大出力電力（ＰＥＭＡＸ，ＳｅＮＢ）は、好ましくは、マスター基地局とセカンダリ基地局との間のインタフェースを介して送信されるシグナリングメッセージにおいて、マスター基地局からセカンダリ基地局に送信される。次いで、マスター基地局へのアップリンク送信用の移動局の決定された最大出力電力（ＰＥＭＡＸ，ＭｅＮＢ）と、セカンダリ基地局へのアップリンク送信用の移動局の決定された最大出力電力（ＰＥＭＡＸ，ＳｅＮＢ）の両方が、好ましくは、無線リソース制御（ＲＲＣ）メッセージにおいて、またはメディアアクセス制御（ＭＡＣ）制御エレメントにおいて、マスター基地局から移動局に送信される。あるいは、マスター基地局へのアップリンク送信用の移動局の決定された最大出力電力（ＰＥＭＡＸ，ＭｅＮＢ）が、好ましくは、無線リソース制御（ＲＲＣ）メッセージにおいて、またはメディアアクセス制御（ＭＡＣ）制御エレメントにおいて、マスター基地局から移動局に送信され、セカンダリ基地局へのアップリンク送信用の移動局の決定された最大出力電力（ＰＥＭＡＸ，ＳｅＮＢ）が、セカンダリ基地局から移動局に送信される。
【０１４７】
上の実施形態に加えて、または上の実施形態に代えて使用できる、本開示の実施形態の有利な変形形態によると、マスター基地局は、マスター基地局とセカンダリ基地局との間での、移動局の利用可能な最大送信電力の初期分配を決定する。このステップは、マスター基地局へのアップリンク送信用の移動局の最大出力電力（ＰＥＭＡＸ，ＭｅＮＢ）と、セカンダリ基地局へのアップリンク送信用の移動局の最大出力電力（ＰＥＭＡＸ，ＳｅＮＢ）と、を決定するステップ、を含む。次いで、マスター基地局へのアップリンク送信用の移動局の決定された最大出力電力（ＰＥＭＡＸ，ＭｅＮＢ）と、セカンダリ基地局へのアップリンク送信用の移動局の決定された最大出力電力（ＰＥＭＡＸ，ＳｅＮＢ）が、好ましくは、無線リソース制御（ＲＲＣ）メッセージにおいて、またはメディアアクセス制御（ＭＡＣ）制御エレメントにおいて、マスター基地局から移動局に送信される。さらに、移動局は、セカンダリ基地局へのアップリンク送信用の移動局の受信された最大出力電力（ＰＥＭＡＸ，ＳｅＮＢ）、に関する情報を、セカンダリ基地局に送信する。
【０１４８】
上の実施形態に加えて、または上の実施形態に代えて使用できる、本開示の実施形態の有利な変形形態によると、セカンダリ基地局へのアップリンク送信用の移動局の受信された最大出力電力（ＰＥＭＡＸ，ＳｅＮＢ）、に関する情報を、移動局によってセカンダリ基地局に送信するステップは、以下のステップ、すなわち、セカンダリ仮想電力ヘッドルーム報告に含めるための、移動局からセカンダリ基地局へのアップリンク送信用に移動局によって設定される、セルに固有な最大出力電力（ＰＣＭＡＸ，ＳｅＮＢ）を、セカンダリ基地局へのアップリンク送信用の移動局の受信された最大出力電力（ＰＥＭＡＸ，ＳｅＮＢ）に基づいて決定するステップと、セカンダリ基地局が、セカンダリ基地局へのアップリンク送信用の移動局の最大出力電力（ＰＥＭＡＸ，ＳｅＮＢ）を決定することができるように、移動局からセカンダリ基地局へのアップリンク送信用に移動局によって設定される、セルに固有な決定した最大出力電力（ＰＣＭＡＸ，ＳｅＮＢ）を、移動局からセカンダリ基地局に送信するステップと、を含む。
【０１４９】
上の実施形態に加えて、または上の実施形態に代えて使用できる、本開示の実施形態の有利な変形形態によると、セカンダリ基地局へのアップリンク送信用の移動局の受信された最大出力電力（ＰＥＭＡＸ，ＳｅＮＢ）、に関する情報を、移動局によってセカンダリ基地局に送信するステップは、以下のステップ、すなわち、セカンダリ基地局への第２の無線リンクを対象に事前に設定される仮想アップリンクリソース割当てに基づいて、移動局とセカンダリ基地局との間の第２の無線リンクのセカンダリ仮想電力ヘッドルーム報告を、移動局によって計算するステップであって、移動局からセカンダリ基地局へのアップリンク送信用に移動局によって設定される、セルに固有な最大出力電力（ＰＣＭＡＸ，ＳｅＮＢ）を、セカンダリ基地局へのアップリンク送信用の移動局の受信された最大出力電力（ＰＥＭＡＸ，ＳｅＮＢ）に基づいて、決定するステップと、セカンダリ基地局が、セカンダリ基地局へのアップリンク送信用の移動局の最大出力電力（ＰＥＭＡＸ，ＳｅＮＢ）を決定することができるように、計算されたセカンダリ仮想電力ヘッドルーム報告と、移動局からセカンダリ基地局へのアップリンク送信用に移動局によって設定される、セルに固有な決定した最大出力電力（ＰＣＭＡＸ，ＳｅＮＢ）とを、移動局からセカンダリ基地局に送信するステップと、を含む。
【０１５０】
上の実施形態に加えて、または上の実施形態に代えて使用できる、本開示の実施形態の有利な変形形態によると、マスター基地局は、移動局とセカンダリ基地局との間の第２の無線リンクのパスロスに関する決定した情報に基づいて、マスター基地局とセカンダリ基地局の間での、移動局の利用可能な最大送信電力の更新された分配を決定する。このステップは、マスター基地局へのアップリンク送信用の移動局の最大出力電力の更新された値（ＰＥＭＡＸ，ＭｅＮＢ）と、セカンダリ基地局へのアップリンク送信用の移動局の最大出力電力の更新された値（ＰＥＭＡＸ，ＳｅＮＢ）と、を決定するステップ、を含む。セカンダリ基地局へのアップリンク送信用の移動局の更新された最大出力電力（ＰＥＭＡＸ，ＳｅＮＢ）は、マスター基地局からセカンダリ基地局に送信される。次いで、マスター基地局へのアップリンク送信用の移動局の更新された最大出力電力（ＰＥＭＡＸ，ＭｅＮＢ）と、セカンダリ基地局へのアップリンク送信用の移動局の更新された最大出力電力（ＰＥＭＡＸ，ＳｅＮＢ）の両方が、マスター基地局から移動局に送信される、あるいは、マスター基地局へのアップリンク送信用の移動局の更新された最大出力電力（ＰＥＭＡＸ，ＭｅＮＢ）が、マスター基地局から移動局に送信され、セカンダリ基地局へのアップリンク送信用の移動局の更新された最大出力電力（ＰＥＭＡＸ，ＳｅＮＢ）が、セカンダリ基地局から移動局に送信される。
【０１５１】
上の実施形態に加えて、または上の実施形態に代えて使用できる、本開示の実施形態の有利な変形形態によると、計算される第１の無線リンクの第１の電力ヘッドルーム報告は、拡張電力ヘッドルーム報告であり、拡張電力ヘッドルーム報告は、移動局からマスター基地局へのアップリンク送信用に移動局によって設定される、セルに固有な最大出力電力（ＰＣＭＡＸ，ＭｅＮＢ）、をさらに含み、計算される第２の無線リンクの第２の電力ヘッドルーム報告は、拡張電力ヘッドルーム報告であり、拡張電力ヘッドルーム報告は、移動局からセカンダリ基地局へのアップリンク送信用に移動局によって設定される、セルに固有な最大出力電力（ＰＣＭＡＸ，ＳｅＮＢ）、をさらに含む。
【０１５２】
上の実施形態に加えて、または上の実施形態に代えて使用できる、本開示の実施形態の有利な変形形態によると、移動局が移動局とセカンダリ基地局との間の第２の無線リンクがアップリンクにおいて非アクティブになることを認識したとき、移動局は、第２の無線リンクがアップリンクにおいて非アクティブになることに関する情報をマスター基地局に提供する。好ましい解決策においては、第２の無線リンクがアップリンクにおいて非アクティブになることに関する情報は、以下の形、すなわち、
−  移動局とマスター基地局との間の第１の無線リンクの第１の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、マスター基地局に提供される。
【０１５３】
上の実施形態に加えて、または上の実施形態に代えて使用できる、本開示の実施形態の有利な変形形態によると、移動局は、第２の無線リンクがアップリンクにおいて非アクティブであることが予測される時間長を求め、求めた時間長が所定の時間長を超える場合にのみ、移動局は、第２の無線リンクがアップリンクにおいて非アクティブになることに関する情報をマスター基地局に提供する。
【０１５４】
上の実施形態に加えて、または上の実施形態に代えて使用できる、本開示の実施形態の有利な変形形態によると、第２の無線リンクがアップリンクにおいて非アクティブになることに関する情報は、移動局とセカンダリ基地局との間の第２の無線リンクのセカンダリ仮想電力ヘッドルーム報告の所定の電力ヘッドルーム値の形で、マスター基地局に提供される。所定の電力ヘッドルーム値は、好ましくは、第２の無線リンクがアップリンクにおいて非アクティブであることが移動局によって予測される時間長に関する時間情報を符号化する所定の負の値である。
【０１５５】
上の実施形態に加えて、または上の実施形態に代えて使用できる、本開示の実施形態の有利な変形形態によると、マスター基地局は、第２の無線リンクがアップリンクにおいて非アクティブになることに関する受信された情報に基づいて、マスター基地局とセカンダリ基地局の間での、移動局の利用可能な最大送信電力の更新された分配を決定し、このステップは、少なくとも、マスター基地局へのアップリンク送信用の移動局の最大出力電力の更新された値（ＰＥＭＡＸ，ＭｅＮＢ）を決定するステップ、を含む。マスター基地局は、マスター基地局へのアップリンク送信用の移動局の更新された最大出力電力（ＰＥＭＡＸ，ＭｅＮＢ）を、移動局に送信する。
【０１５６】
上の実施形態に加えて、または上の実施形態に代えて使用できる、本開示の実施形態の有利な変形形態によると、マスター基地局は、マスター基地局へのアップリンク送信用の移動局の更新された最大出力電力（ＰＥＭＡＸ，ＭｅＮＢ）を決定して送信するときに、電力制御タイマを起動させる。電力制御タイマが切れた時点で、マスター基地局は、更新前の、マスター基地局へのアップリンク送信用の移動局の最大出力電力（ＰＥＭＡＸ，ＭｅＮＢ）を、移動局に送信する。電力制御タイマは、
−  所定の時間値、または、
−  第２の無線リンクがアップリンクにおいて非アクティブになることに関する情報が、移動局とセカンダリ基地局との間の第２の無線リンクのセカンダリ仮想電力ヘッドルーム報告の所定の電力ヘッドルーム値の形でマスター基地局に提供され、所定の電力ヘッドルーム値が、好ましくは、第２の無線リンクがアップリンクにおいて非アクティブであることが予測される時間長に関する時間情報を符号化する所定の負の値である場合、所定の負の電力ヘッドルーム値を含む受信されるセカンダリ仮想電力ヘッドルーム報告の中で移動局によって示される時間値、
を使用して設定されることが好ましい。
【０１５７】
上の実施形態に加えて、または上の実施形態に代えて使用できる、本開示の実施形態の有利な変形形態によると、移動局が移動局とマスター基地局との間の第１の無線リンクがアップリンクにおいて非アクティブになることを認識したとき、移動局は、第１の無線リンクがアップリンクにおいて非アクティブになることに関する情報をセカンダリ基地局に提供する。第１の無線リンクがアップリンクにおいて非アクティブになることに関する情報は、以下の形、すなわち、
−  移動局とセカンダリ基地局との間の第２の無線リンクの第２の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、セカンダリ基地局に提供される。
【０１５８】
上の実施形態に加えて、または上の実施形態に代えて使用できる、本開示の実施形態の有利な変形形態によると、移動局は、第１の無線リンクがアップリンクにおいて非アクティブであることが予測される時間長を求め、求めた時間長が所定の時間長を超える場合にのみ、移動局は、第１の無線リンクがアップリンクにおいて非アクティブになることに関する情報をセカンダリ基地局に提供する。
【０１５９】
上の実施形態に加えて、または上の実施形態に代えて使用できる、本開示の実施形態の有利な変形形態によると、第１の無線リンクがアップリンクにおいて非アクティブになることに関する情報は、移動局とセカンダリ基地局との間の第２の無線リンクのセカンダリ仮想電力ヘッドルーム報告の所定の電力ヘッドルーム値の形で、セカンダリ基地局に提供される。この場合、所定の電力ヘッドルーム値は、好ましくは、第１の無線リンクがアップリンクにおいて非アクティブであることが移動局によって予測される時間長に関する時間情報を符号化する所定の負の値である。
【０１６０】
上の実施形態に加えて、または上の実施形態に代えて使用できる、本開示の実施形態の有利な変形形態によると、セカンダリ基地局は、セカンダリ基地局へのアップリンク送信用の移動局の最大出力電力の更新された値（ＰＥＭＡＸ，ＳｅＮＢ）を決定する。セカンダリ基地局は、セカンダリ基地局へのアップリンク送信用の移動局の更新された最大出力電力（ＰＥＭＡＸ，ＳｅＮＢ）を、移動局に送信する。
【０１６１】
上の実施形態に加えて、または上の実施形態に代えて使用できる、本開示の実施形態の有利な変形形態によると、セカンダリ基地局は、セカンダリ基地局へのアップリンク送信用の移動局の更新された最大出力電力（ＰＥＭＡＸ，ＳｅＮＢ）を決定して送信するときに、電力制御タイマを起動させる。電力制御タイマが切れた時点で、セカンダリ基地局は、更新前の、セカンダリ基地局へのアップリンク送信用の移動局の最大出力電力（ＰＥＭＡＸ，ＳｅＮＢ）を、移動局に送信する。電力制御タイマは、
−  所定の時間値、または、
−  第１の無線リンクがアップリンクにおいて非アクティブになることに関する情報が、移動局とセカンダリ基地局との間の第２の無線リンクのセカンダリ仮想電力ヘッドルーム報告の所定の電力ヘッドルーム値の形でセカンダリ基地局に提供される。所定の電力ヘッドルーム値は、好ましくは、第１の無線リンクがアップリンクにおいて非アクティブであることが移動局によって予測される時間長に関する時間情報を符号化する所定の負の値である場合、所定の負の電力ヘッドルーム値を含む受信されるセカンダリ仮想電力ヘッドルーム報告の中で移動局によって示される時間値、
を使用して設定されることが好ましい。
【０１６２】
上の実施形態に加えて、または上の実施形態に代えて使用できる、本開示の実施形態の有利な変形形態によると、移動局からセカンダリ基地局への第２の無線リンクが無線リンク障害状態に入るとき、移動局は、第２の無線リンクの無線リンク障害についての情報を、好ましくは以下の形、すなわち、
−  移動局とマスター基地局との間の第１の無線リンクの第１の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、マスター基地局に提供する。
【０１６３】
上の実施形態に加えて、または上の実施形態に代えて使用できる、本開示の実施形態の有利な変形形態によると、マスター基地局は、第２の無線リンクの無線リンク障害に関する受信された情報に基づいて、マスター基地局とセカンダリ基地局の間での、移動局の利用可能な最大送信電力の更新された分配を決定する。このステップは、少なくとも、マスター基地局へのアップリンク送信用の移動局の最大出力電力の更新された値（ＰＥＭＡＸ，ＭｅＮＢ）を決定するステップ、を含む。マスター基地局は、マスター基地局へのアップリンク送信用の移動局の最大出力電力の更新された値（ＰＥＭＡＸ，ＭｅＮＢ）を、移動局に送信する。マスター基地局は、第２の無線リンクの無線リンク障害を解決するための適切な手順を開始することが好ましい。
【０１６４】
上の実施形態に加えて、または上の実施形態に代えて使用できる、本開示の実施形態の有利な変形形態によると、移動局からマスター基地局への第１の無線リンクが無線リンク障害状態に入るとき、移動局は、第１の無線リンクの無線リンク障害についての情報を、好ましくは以下の形、すなわち、
−  移動局とセカンダリ基地局との間の第２の無線リンクの第２の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、セカンダリ基地局に提供する。
【０１６５】
上の実施形態に加えて、または上の実施形態に代えて使用できる、本開示の実施形態の有利な変形形態によると、セカンダリ基地局は、セカンダリ基地局へのアップリンク送信用の移動局の最大出力電力の更新された値（ＰＥＭＡＸ，ＳｅＮＢ）を決定する。セカンダリ基地局は、セカンダリ基地局へのアップリンク送信用の移動局の更新された最大出力電力（ＰＥＭＡＸ，ＳｅＮＢ）を、移動局に送信する。セカンダリ基地局は、第１の無線リンクの無線リンク障害を解決するための適切な手順を開始することが好ましい。
【０１６６】
本開示のこの第１の実施形態は、移動通信システムにおいて電力ヘッドルームを報告する移動局であって、第１の無線リンクを介してマスター基地局に接続可能であり、かつ、第２の無線リンクを介して少なくとも１つのセカンダリ基地局に接続可能である、移動局、をさらに提供する。本移動局のプロセッサは、移動局とマスター基地局との間の第１の無線リンクの第１の電力ヘッドルーム報告を計算する。本移動局の送信器は、計算された第１の電力ヘッドルーム報告を、移動局とセカンダリ基地局との間の第２の無線リンクのパスロスに関する情報をマスター基地局が決定することを可能にする情報とともに、マスター基地局に送信する。プロセッサは、移動局とセカンダリ基地局との間の第２の無線リンクの第２の電力ヘッドルーム報告をさらに計算する。次いで、送信器は、計算された第２の電力ヘッドルーム報告をセカンダリ基地局に送信する。
【０１６７】
上の実施形態に加えて、または上の実施形態に代えて使用できる、本開示の実施形態の有利な変形形態によると、マスター基地局がパスロスに関する情報を決定するときに基づく情報は、移動局とセカンダリ基地局との間の第２の無線リンクのセカンダリ仮想電力ヘッドルーム報告の形で送信される。この場合、プロセッサは、セカンダリ基地局への第２の無線リンクを対象に事前に設定される仮想アップリンクリソース割当てに基づいて、移動局とセカンダリ基地局との間の第２の無線リンクのセカンダリ仮想電力ヘッドルーム報告を、計算する。
【０１６８】
上の実施形態に加えて、または上の実施形態に代えて使用できる、本開示の実施形態の有利な変形形態によると、本移動局の受信器は、セカンダリ基地局へのアップリンク送信用の移動局の最大出力電力（ＰＥＭＡＸ，ＳｅＮＢ）、もしくは、マスター基地局へのアップリンク送信用の移動局の最大出力電力（ＰＥＭＡＸ，ＭｅＮＢ）、またはその両方を、好ましくは、無線リソース制御（ＲＲＣ）メッセージにおいて、またはメディアアクセス制御（ＭＡＣ）制御エレメントにおいて、マスター基地局から受信する。
【０１６９】
上の実施形態に加えて、または上の実施形態に代えて使用できる、本開示の実施形態の有利な変形形態によると、本移動局の受信器は、セカンダリ基地局へのアップリンク送信用の移動局の最大出力電力（ＰＥＭＡＸ，ＳｅＮＢ）を受信し、送信器は、セカンダリ基地局へのアップリンク送信用の移動局の受信された最大出力電力（ＰＥＭＡＸ，ＳｅＮＢ）に関する情報を、セカンダリ基地局に送信する。
【０１７０】
上の実施形態に加えて、または上の実施形態に代えて使用できる、本開示の実施形態の有利な変形形態によると、プロセッサは、セカンダリ基地局へのアップリンク送信用の移動局の受信された最大出力電力（ＰＥＭＡＸ，ＳｅＮＢ）に基づいて、セカンダリ仮想電力ヘッドルーム報告に含めるための、移動局からセカンダリ基地局へのアップリンク送信用に移動局によって設定される、セルに固有な最大出力電力（ＰＣＭＡＸ，ＳｅＮＢ）を決定する。送信器は、セカンダリ基地局が、セカンダリ基地局へのアップリンク送信用の移動局の最大出力電力（ＰＥＭＡＸ，ＳｅＮＢ）を決定することができるように、移動局からセカンダリ基地局へのアップリンク送信用に移動局によって設定される、セルに固有な決定した最大出力電力（ＰＣＭＡＸ，ＳｅＮＢ）を、セカンダリ基地局に送信する。
【０１７１】
上の実施形態に加えて、または上の実施形態に代えて使用できる、本開示の実施形態の有利な変形形態によると、プロセッサは、セカンダリ基地局への第２の無線リンクを対象に事前に設定される仮想アップリンクリソース割当てに基づいて、移動局とセカンダリ基地局との間の第２の無線リンクのセカンダリ仮想電力ヘッドルーム報告を計算する。このするステップは、セカンダリ基地局へのアップリンク送信用の移動局の受信された最大出力電力（ＰＥＭＡＸ，ＳｅＮＢ）に基づいて、移動局からセカンダリ基地局へのアップリンク送信用に移動局によって設定される、セルに固有な最大出力電力（ＰＣＭＡＸ，ＳｅＮＢ）を決定するステップ、を含む。送信器は、セカンダリ基地局がセカンダリ基地局へのアップリンク送信用の移動局の最大出力電力（ＰＥＭＡＸ，ＳｅＮＢ）を決定することができるように、計算されたセカンダリ仮想電力ヘッドルーム報告と、移動局からセカンダリ基地局へのアップリンク送信用に移動局によって設定される、セルに固有な決定した最大出力電力（ＰＣＭＡＸ，ＳｅＮＢ）とを、セカンダリ基地局に送信する。
【０１７２】
上の実施形態に加えて、または上の実施形態に代えて使用できる、本開示の実施形態の有利な変形形態によると、プロセッサが移動局とセカンダリ基地局との間の第２の無線リンクがアップリンクにおいて非アクティブになることを認識したとき、送信器は、第２の無線リンクがアップリンクにおいて非アクティブになることに関する情報を、好ましくは以下の形、すなわち、
−  移動局とマスター基地局との間の第１の無線リンクの第１の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、マスター基地局に提供する。
【０１７３】
上の実施形態に加えて、または上の実施形態に代えて使用できる、本開示の実施形態の有利な変形形態によると、プロセッサは、第２の無線リンクがアップリンクにおいて非アクティブであることが予測される時間長を求め、決定した時間長が所定の時間長を超える場合にのみ、送信器が、第２の無線リンクがアップリンクにおいて非アクティブになることに関する情報をマスター基地局に提供する。
【０１７４】
上の実施形態に加えて、または上の実施形態に代えて使用できる、本開示の実施形態の有利な変形形態によると、第２の無線リンクがアップリンクにおいて非アクティブになることに関する情報は、移動局とセカンダリ基地局との間の第２の無線リンクのセカンダリ仮想電力ヘッドルーム報告の所定の電力ヘッドルーム値の形で、マスター基地局に提供される。この場合、プロセッサは、所定の電力ヘッドルーム値を、好ましくは、第２の無線リンクがアップリンクにおいて非アクティブであることが移動局によって予測される時間長に関する時間情報を符号化する所定の負の値、に設定する。
【０１７５】
上の実施形態に加えて、または上の実施形態に代えて使用できる、本開示の実施形態の有利な変形形態によると、プロセッサが移動局とマスター基地局との間の第１の無線リンクがアップリンクにおいて非アクティブになることを認識したとき、送信器は、第１の無線リンクがアップリンクにおいて非アクティブになることに関する情報を、好ましくは以下の形、すなわち、
−  移動局とセカンダリ基地局との間の第２の無線リンクの第２の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、セカンダリ基地局に提供する。
【０１７６】
上の実施形態に加えて、または上の実施形態に代えて使用できる、本開示の実施形態の有利な変形形態によると、プロセッサは、第１の無線リンクがアップリンクにおいて非アクティブであることが予測される時間長を求め、決定した時間長が所定の時間長を超える場合にのみ、送信器が、第１の無線リンクがアップリンクにおいて非アクティブになることに関する情報をセカンダリ基地局に提供する。
【０１７７】
上の実施形態に加えて、または上の実施形態に代えて使用できる、本開示の実施形態の有利な変形形態によると、第１の無線リンクがアップリンクにおいて非アクティブになることに関する情報は、移動局とセカンダリ基地局との間の第２の無線リンクのセカンダリ仮想電力ヘッドルーム報告の所定の電力ヘッドルーム値の形で、セカンダリ基地局に提供される。この場合、プロセッサは、所定の電力ヘッドルーム値を、好ましくは、第１の無線リンクがアップリンクにおいて非アクティブであることが移動局によって予測される時間長に関する時間情報を符号化する所定の負の値に設定する。
【０１７８】
上の実施形態に加えて、または上の実施形態に代えて使用できる、本開示の実施形態の有利な変形形態によると、プロセッサが移動局とセカンダリ基地局との間の第２の無線リンクが無線リンク障害に入ることを認識したとき、送信器は、第２の無線リンクの障害に関する情報を、好ましくは以下の形、すなわち、
−  移動局とマスター基地局との間の第１の無線リンクの第１の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、マスター基地局に提供する。
【０１７９】
上の実施形態に加えて、または上の実施形態に代えて使用できる、本開示の実施形態の有利な変形形態によると、プロセッサが移動局とマスター基地局との間の第１の無線リンクが無線リンク障害に入ることを認識したとき、送信器は、第１の無線リンクの障害に関する情報を、好ましくは以下の形、すなわち、
−  移動局とセカンダリ基地局との間の第２の無線リンクの第２の電力ヘッドルーム報告の中の、所定の値を有するビットフラグ、または、
−  移動局とセカンダリ基地局との間の第２の無線リンクのセカンダリ仮想電力ヘッドルーム報告の中の、所定の値を有するビットフラグ、または、
−  移動局とセカンダリ基地局との間の第２の無線リンクのセカンダリ仮想電力ヘッドルーム報告の所定の電力ヘッドルーム値、
の形で、セカンダリ基地局に提供する。
【０１８０】
上の実施形態に加えて、または上の実施形態に代えて使用できる、本開示の実施形態の有利な変形形態によると、受信器は、セカンダリ基地局へのアップリンク送信用の移動局の最大出力電力の更新された値（ＰＥＭＡＸ，ＳｅＮＢ）を受信し、かつ、マスター基地局へのアップリンク送信用の移動局の最大出力電力の更新された値（ＰＥＭＡＸ，ＭｅＮＢ）を受信する。
【０１８１】
本開示のこの第１の実施形態は、移動通信システムにおいて移動局から電力ヘッドルーム報告を受信するマスター基地局、をさらに提供する。移動局は、第１の無線リンクを介して本マスター基地局に接続されており、かつ、第２の無線リンクを介して少なくとも１つのセカンダリ基地局に接続されている。本マスター基地局の受信器は、第１の電力ヘッドルーム報告を、移動局とセカンダリ基地局との間の第２の無線リンクのパスロスに関する情報を本マスター基地局が決定することを可能にする情報とともに、移動局から受信する。本マスター基地局のプロセッサは、移動局とセカンダリ基地局との間の第２の無線リンクのパスロスに関する情報を、受信された情報に基づいて決定する。
【０１８２】
上の実施形態に加えて、または上の実施形態に代えて使用できる、本開示の実施形態の有利な変形形態によると、プロセッサは、本マスター基地局とセカンダリ基地局との間での、移動局の利用可能な最大送信電力の初期分配を決定する。このステップは、マスター基地局へのアップリンク送信用の移動局の最大出力電力（ＰＥＭＡＸ，ＭｅＮＢ）と、セカンダリ基地局へのアップリンク送信用の移動局の最大出力電力（ＰＥＭＡＸ，ＳｅＮＢ）と、を決定するステップ、を含む。本マスター基地局の送信器は、セカンダリ基地局へのアップリンク送信用の移動局の決定された最大出力電力（ＰＥＭＡＸ，ＳｅＮＢ）を、好ましくは、本マスター基地局とセカンダリ基地局との間のインタフェースを介して送信されるシグナリングメッセージにおいて、セカンダリ基地局に送信する。送信器は、本マスター基地局へのアップリンク送信用の移動局の決定された最大出力電力（ＰＥＭＡＸ，ＭｅＮＢ）、もしくは、セカンダリ基地局へのアップリンク送信用の移動局の決定された最大出力電力（ＰＥＭＡＸ，ＳｅＮＢ）、またはその両方を、好ましくは、無線リソース制御（ＲＲＣ）メッセージにおいて、またはメディアアクセス制御（ＭＡＣ）制御エレメントにおいて、移動局に送信する。
【０１８３】
上の実施形態に加えて、または上の実施形態に代えて使用できる、本開示の実施形態の有利な変形形態によると、プロセッサは、本マスター基地局とセカンダリ基地局の間での、移動局の利用可能な最大送信電力の更新された分配を、移動局とセカンダリ基地局との間の第２の無線リンクのパスロスに関する決定した情報に基づいて、決定する。このステップは、本マスター基地局へのアップリンク送信用の移動局の最大出力電力の更新された値（ＰＥＭＡＸ，ＭｅＮＢ）と、セカンダリ基地局へのアップリンク送信用の移動局の最大出力電力の更新された値（ＰＥＭＡＸ，ＳｅＮＢ）と、を決定するステップ、を含む。本マスター基地局の送信器は、セカンダリ基地局へのアップリンク送信用の移動局の更新された最大出力電力（ＰＥＭＡＸ，ＳｅＮＢ）を、セカンダリ基地局に送信する。送信器は、本マスター基地局へのアップリンク送信用の移動局の更新された最大出力電力（ＰＥＭＡＸ，ＭｅＮＢ）、もしくは、セカンダリ基地局へのアップリンク送信用の移動局の更新された最大出力電力（ＰＥＭＡＸ，ＳｅＮＢ）、またはその両方を、移動局に送信する。
【０１８４】
「移動局」または「移動ノード」は、通信ネットワーク内の物理エンティティである。１つのノードがいくつかの機能エンティティを有することができる。機能エンティティとは、所定の一連の機能を実施する、もしくは、ノードまたはネットワークの別の機能エンティティに所定の一連の機能を提供する、またはその両方であるソフトウェアモジュールまたはハードウェアモジュールを意味する。ノードは、通信機器または通信媒体にノードをアタッチする１つまたは複数のインタフェースを有することができ、ノードはこれらのインタフェースを通じて通信することができる。同様に、ネットワークエンティティは、機能エンティティを通信機器または通信媒体にアタッチする論理インタフェースを有することができ、ネットワークエンティティは論理インタフェースを通じて別の機能エンティティやコレスポンデントノードと通信することができる。
【０１８５】
請求項および本開示の説明全体を通じて使用されている用語「マスター基地局」は、３ＧＰＰ  ＬＴＥ−Ａのデュアルコネクティビティの分野において使用されている意味として解釈されたい。したがって、別の用語として、マクロ基地局、マスターｅＮＢ、マクロｅＮＢ、サービング基地局、あるいは３ＧＰＰによって今後決定される何らかの別の用語が考えられる。同様に、請求項および説明全体を通じて使用されている用語「セカンダリ基地局」は、３ＧＰＰ  ＬＴＥ−Ａのデュアルコネクティビティの分野において使用されている意味として解釈されたい。したがって、別の用語として、スレーブ基地局、セカンダリｅＮＢ、スレーブｅＮＢ、または３ＧＰＰによって今後決定される何らかの別の用語が考えられる。
【０１８６】
請求項および本開示の説明全体を通じて使用されている用語「無線リンク」は、移動局と基地局との間の無線接続として広義に理解されたい。
【０１８７】
用語「電力ヘッドルーム報告」は、本開示の特定の実施形態においては、３ＧＰＰにおいて定義されている電力ヘッドルーム報告を意味するものとし、好ましくは、３ＧＰＰにおいて定義されている拡張電力ヘッドルーム報告を意味するものとする。
【０１８８】
用語「仮想電力ヘッドルーム報告」は、本開示の特定の実施形態においては、３ＧＰＰにおいて定義されている仮想電力ヘッドルーム報告を意味するものとする。
【０１８９】
以下では、本開示のいくつかの実施形態について詳しく説明する。説明のみを目的として、これらの実施形態のほとんどは、３ＧＰＰ  ＬＴＥ（リリース８／９）およびＬＴＥ−Ａ（リリース１０／１１）の移動通信システムによる無線アクセス方式（その一部分については上の背景技術のセクションにおいて説明した）に関連して説明する。なお、本開示は、例えば、上の背景技術のセクションに説明した３ＧＰＰ  ＬＴＥ−Ａ（リリース１２）の通信システムなどの移動通信システムにおいても、有利に使用することができることに留意されたい。以下に詳述する実施形態は、３ＧＰＰ  ＬＴＥおよび／または３ＧＰＰ  ＬＴＥ−Ａに規定されている機能性に関連して使用される実施例、もしくは、そのような機能性を強化する実施例、またはその両方である実施例として、説明してある。この点において、説明全体を通じて、３ＧＰＰ  ＬＴＥおよび／または３ＧＰＰ  ＬＴＥ−Ａの専門用語を採用してある。さらには、本開示のコンセプト／原理全体を詳述するために、例示的なシステム構成について検討してある。
【０１９０】
以下の説明は、本開示を制限するものではなく、本開示を深く理解するための実施形態の単なる例として理解されたい。当業者には、請求項に記載されている本開示の一般的な原理を、さまざまなシナリオに、本明細書には明示的に説明されていない方法で、適用できることが認識されるであろう。したがって、さまざまな実施形態を説明する目的で想定されている以下のシナリオは、本開示をそれらに限定するものではない。
【０１９１】
本開示に関連して、さまざまな実施例について説明する。本開示の原理の説明を単純にするため、いくつかの想定を行う。しかしながら、これらの想定は、請求項によって広義に定義されている本開示の範囲を限定するようには解釈されないものとする。
【０１９２】
本開示について、図１７〜図２３を参照しながら説明する。スモールセル環境におけるデュアルコネクティビティのシナリオを想定し、この場合、ＵＥは、マスター基地局（ＭｅＮＢ）およびセカンダリ基地局（ＳｅＮＢ）の両方に、それぞれ第１の無線リンクおよび第２の無線リンクを介して接続されている。しかしながら、本開示はこのシナリオに制限されないことに留意されたい。例えば、ＵＥが１つのマスター基地局と少なくとも２つのセカンダリ基地局に接続されるシナリオも可能である。
【０１９３】
本開示によると、マスター基地局およびセカンダリ基地局の一方は、マスター基地局へのアップリンク送信用と、セカンダリ基地局へのアップリンク送信用との間での、ＵＥの電力分配を制御する役割を担う。本開示の以下の説明においては、電力分配を制御する役割をマスター基地局が担うものと想定する。しかしながら、本開示の原理は、電力分配を制御する役割を担う基地局としてセカンダリ基地局が選択されるシナリオにも、（必要な変更を行ったうえで）等しく適用することができる。
【０１９４】
３ＧＰＰによってすでに定義されている電力制御によると（背景技術のセクションを参照されたい）、ＵＥは、通常、アップリンク送信に使用することが許可される最大出力電力を、基地局（ｅＮＢ）によって設定されてシグナリングされる自身の電力クラスおよび最大電力上限（すなわちＰＥＭＡＸ）に基づいて決定する。ＰＥＭＡＸは、（マスター）基地局によって決定され、ＵＥに送信される。ＵＥは、信号の品質、スペクトル放射マスク、およびスプリアス放射に関する要件を満たすことができるように、場合によってはＭＰＲやＡ−ＭＰＲなどのさらなる電力制限を適用して、自身の最大送信電力を下げる。
【０１９５】
ＵＥ（マスター基地局に接続されている）がデュアルコネクティビティ状態に入るとき、すなわちセカンダリ基地局によって制御されるセルが設定されて追加されるとき、本開示によると、アップリンク送信に利用可能なＵＥの出力電力の、マスター基地局とセカンダリ基地局との間での初期電力分配を決定する（すなわち２つのパラメータＰＥＭＡＸ，ＭｅＮＢおよびＰＥＭＡＸ，ＳｅＮＢを決定する）ことが有利である。ＰＥＭＡＸ，ＭｅＮＢは、移動局がマスター基地局へのアップリンク送信に使用する最大出力電力として理解されるものとする。同様に、ＰＥＭＡＸ，ＳｅＮＢは、移動局がセカンダリ基地局へのアップリンク送信に使用する最大出力電力として理解されるものとする。より一般的には、マスター基地局は、同じ基地局または異なる基地局に属する各アップリンクコンポーネントキャリア（またはセル）、または設定されているアップリンクコンポーネントキャリアのセットでの送信用に移動局に許可される最大電力を決定することができる。一方の基地局（マスター基地局またはセカンダリ基地局）がさらなるコンポーネントキャリアを制御している場合、その基地局は、シグナリングされた最大許容アップリンク送信電力（ＰＥＭＡＸ，ＭｅＮＢおよびＰＥＭＡＸ，ＳｅＮＢ）を、コンポーネントキャリアの間でさらに分配することができる。
【０１９６】
マスター基地局は、効率的かつ適切な電力分配の初期比率（すなわち２つのパラメータＰＥＭＡＸ，ＭｅＮＢおよびＰＥＭＡＸ，ＳｅＮＢ）を決定する目的で、以下のパラメータのうちの１つまたは複数を考慮することができる。
−  ＵＥとマスター基地局／セカンダリ基地局との間の２本の無線リンクにおけるパスロス。このパスロスは、ＵＥがマスター基地局またはセカンダリ基地局からどれだけ離れているか（ＵＥからマスター基地局またはセカンダリ基地局までの距離）の１つの指標となる。したがって、パスロスは、ＵＥがマスター基地局およびセカンダリ基地局にデータを送信するのに必要な電力と、最適な電力分配比率とを決定することを可能にする。
−  マスター基地局およびセカンダリ基地局によって処理されるトラフィック負荷に関する情報
−  ２本の無線リンクに利用可能なアップリンクリソース
【０１９７】
結果として、マスター基地局は、ＵＥからマスター基地局へのアップリンク送信用と、ＵＥからセカンダリ基地局へのアップリンク送信用との間で、最大許容アップリンク送信電力をどのように分配するかを決定する（すなわちマスター基地局はＰＥＭＡＸ，ＭｅＮＢおよびＰＥＭＡＸ，ＳｅＮＢの値を決定する）。例えば、２３ｄＢｍの最大送信電力を有する移動端末がマスター基地局およびセカンダリ基地局と通信する場合、マスター基地局は、各基地局用に最大許容アップリンク送信電力を２０ｄＢｍに設定することができる。別の例として、電力分配比率を１：２に設定し、すなわち、ＰＥＭＡＸ，ＭｅＮＢ＝ＰＣＭＡＸ／３、ＰＥＭＡＸ，ＳｅＮＢ＝２＊ＰＣＭＡＸ／３である。ＰＣＭＡＸは、一般的には、ＵＥが利用できる最大アップリンク送信電力を意味することを理解されたい。マスター基地局は、移動局によって設定されるＰＣＭＡＸを正確に認識していないため、この値の何らかの予測を行うか、または、最悪の状況（仕様によって許可される最大電力低減（すなわちＭＰＲ）を移動局が適用する）を常に想定する（ＰＣＭＡＸとしてＰＣＭＡＸ＿Ｌを想定することに等しい）か、いずれかが必要である。
【０１９８】
マスター基地局によってＰＥＭＡＸ，ＭｅＮＢおよびＰＥＭＡＸ，ＳｅＮＢの初期値が決定された後、セカンダリ基地局およびＵＥがそれぞれの電力制御手順において使用できるように、これらのパラメータがセカンダリ基地局およびＵＥに配信される。具体的には、ＵＥは、マスター基地局およびセカンダリ基地局の両方へのアップリンク送信用の出力電力を適切に制御するために、ＰＥＭＡＸ，ＭｅＮＢおよびＰＥＭＡＸ，ＳｅＮＢの両方を必要とする。しかしながら、セカンダリ基地局はパラメータＰＥＭＡＸ，ＳｅＮＢのみを必要とする。
【０１９９】
図１７〜図１９は、２つのパラメータＰＥＭＡＸ，ＭｅＮＢおよびＰＥＭＡＸ，ＳｅＮＢがセカンダリ基地局およびＵＥによって受信されるように、これらのパラメータをマスター基地局から適切に配信する方法に関する異なる実施例を示している。図１７に示した第１の代替実施例によると、マスター基地局は、ＰＥＭＡＸ，ＭｅＮＢおよびＰＥＭＡＸ，ＳｅＮＢをＵＥに送信し、ＰＥＭＡＸ，ＳｅＮＢをセカンダリ基地局に送信することができる。さらに、図１７のこの特定のシナリオにおいては、パラメータＰＥＭＡＸ，ＭｅＮＢおよびＰＥＭＡＸ，ＳｅＮＢは、ＲＲＣシグナリングを介して（すなわちＲＲＣ設定として）送信される。これに代えて、図１７には示していないが、２つのパラメータＰＥＭＡＸ，ＭｅＮＢおよびＰＥＭＡＸ，ＳｅＮＢをＭＡＣ制御エレメントとしてマスター基地局からＵＥに送信することもできる。さらには、パラメータＰＥＭＡＸ，ＳｅＮＢは、マスター基地局からＸｎインタフェースを介してセカンダリ基地局に送信されることが好ましい。
【０２００】
別の代替実施例によると、図１８に示したように、パラメータＰＥＭＡＸ，ＳｅＮＢを、図１７の場合と同じ方法で（すなわち好ましくはＸｎインタフェースを介して）マスター基地局からセカンダリ基地局に送信する。しかしながら、パラメータＰＥＭＡＸ，ＳｅＮＢをＵＥに送信するのは、マスター基地局ではなくセカンダリ基地局である。この送信は、図１８に示したようにＭＡＣ制御エレメントを使用することによって行うことができる。マスター基地局は、パラメータＰＥＭＡＸ，ＭｅＮＢを、例えばＲＲＣ設定の一部として、あるいは（図１８には示していないが）ＭＡＣ制御エレメントにおいて、ＵＥに送信する。
【０２０１】
さらに別の実施例によると、図１９に示したように、マスター基地局は、ＰＥＭＡＸ，ＭｅＮＢおよびＰＥＭＡＸ，ＳｅＮＢをＵＥに送信する。この場合、図１７および図１８の実施例とは異なり、マスター基地局はＰＥＭＡＸ，ＳｅＮＢをセカンダリ基地局に送信する必要はなく、なぜならこの送信は次のようにＵＥによって行われるためである。ＵＥは、いくつかの方法でＰＥＭＡＸ，ＳｅＮＢをセカンダリ基地局に送信することができる。簡単な方法としては、図１９には示していないが、ＵＥは、マスター基地局からＰＥＭＡＸ，ＳｅＮＢを受信した後、このパラメータを、例えば特定のＭＡＣ制御エレメント内で、セカンダリ基地局にそのまま転送する。これに代えて、ＵＥは、受信したＰＥＭＡＸ，ＳｅＮＢに基づいて、電力関連パラメータである仮想ＰＣＭＡＸ，ＳｅＮＢ（仮想電力ヘッドルームの計算に使用される最大電力）を計算することができる。基本的には、仮想電力ヘッドルーム報告によると、ＰＣＭＡＸ，ＳｅＮＢはＰＣＭＡＸ＿Ｈ，ｃに等しく、ＰＣＭＡＸ＿Ｈ，ｃはＰＥＭＡＸ，ＳｅＮＢに等しい。したがってＵＥは、図１９に示したように仮想ＰＣＭＡＸ，ＳｅＮＢをセカンダリ基地局に送信することができる。別の実施例によると、ＵＥは、上述したように仮想ＰＣＭＡＸ，ＳｅＮＢを計算した後、セカンダリリンクの仮想電力ヘッドルーム報告（Ｖ−ＰＨＲＳｅＮＢ）をさらに計算し、これらの両方を一緒にセカンダリ基地局に送信する。図２０は、これら２つのパラメータＶ−ＰＨＲＳｅＮＢおよび仮想ＰＣＭＡＸ，ＳｅＮＢを一緒にセカンダリ基地局に送信する１つの方法を示している。この図は、電力ヘッドルーム報告のＭＡＣ制御エレメントの構造を示しており、このＭＡＣ制御エレメントは、セカンダリ基地局への第２の無線リンクの拡張電力ヘッドルーム報告（２行目〜５行目、背景技術のセクションにおける、追加のＰＣＭＡＸ，ｃなどを含むタイプ２／タイプ１の拡張ＰＨＲに関する対応する説明部分も参照）を含み、さらに、仮想電力ヘッドルーム値および対応するＰＣＭＡＸ，ＳｅＮＢ（通常では仮想ＰＨＲと一緒には送信されない）を含む。
【０２０２】
図１７〜図１９に関連して上に例示的に説明したように、セカンダリ基地局およびＵＥには、必要なパラメータＰＥＭＡＸ，ＭｅＮＢおよびＰＥＭＡＸ，ＳｅＮＢが提供され、したがって、３ＧＰＰによってすでに標準化されている通常の電力制御手順にこれらのパラメータを適用することができる。すなわち、ＵＥは、マスター基地局およびセカンダリ基地局によってスケジューリングされるアップリンク送信に使用する自身のＰＣＭＡＸ，ＭｅＮＢおよびＰＣＭＡＸ，ＳｅＮＢを計算する（必要な場合にはさらなる電力低減を適用する）。
【０２０３】
したがって、上述したさまざまな代替方法の１つによって、パラメータＰＥＭＡＸ，ＳｅＮＢおよびＰＥＭＡＸ，ＭｅＮＢをマスター基地局からセカンダリ基地局およびＵＥに配信することが可能である。その後にパラメータＰＥＭＡＸ，ＭｅＮＢおよびＰＥＭＡＸ，ＳｅＮＢの更新された値をセカンダリ基地局もしくはＵＥまたはその両方に配信するさらなる改良形態においても、これらの同じ代替方法を使用することができる。
【０２０４】
ここまでは、基本的に、マスター基地局とセカンダリ基地局の間での電力分配の初期設定について説明してきた。パラメータＰＥＭＡＸ，ＳｅＮＢおよびＰＥＭＡＸ，ＭｅＮＢの初期値が、（電力分配制御の役割を担う）マスター基地局によって決定され、次いでセカンダリ基地局およびＵＥに送信される。したがって、セカンダリ基地局はアップリンクスケジューリングに、ＵＥはアップリンク送信に、これらの初期値を適用することができる。以下では、ＵＥからマスター基地局へのアップリンク送信と、ＵＥからセカンダリ基地局へのアップリンク送信との間での効率的な電力分配比率を維持するために、最初に設定された電力分配を更新するときに従うさらなる動作について説明する。以下の説明においても、マスター基地局が、必要に応じて電力分配を更新する役割を担う、すなわち、パラメータＰＥＭＡＸ，ＳｅＮＢおよびＰＥＭＡＸ，ＭｅＮＢの更新された値を決定し、それらを必要に応じて（上に提示したいくつかの代替方法の１つに従って）セカンダリ基地局もしくはＵＥまたはその両方に配信するものと想定する。
【０２０５】
これを目的として、マスター基地局は、初期電力分配を決定するときと同様に、例えば、２本の無線リンクのうちの少なくとも一方におけるパスロスに関する情報、またはトラフィック負荷に関する情報を使用する。両方の無線リンクのトラフィック負荷など、これらの情報のいくつかをマスター基地局がすでに有することがあるが（例えばマスター基地局がセカンダリ基地局のデータをセカンダリ基地局に転送する場合）、通常ではマスター基地局が認識していないそれ以外の情報をマスター基地局に提供する。
【０２０６】
具体的には、マスター基地局は、ＵＥとマスター基地局との間の第１の無線リンクのパスロスに関する情報を、ＵＥから受信される第１の無線リンクの（拡張）電力ヘッドルーム報告から決定することができる。現在の標準規格によって定義されている、背景技術のセクションに記載した電力ヘッドルーム値の等式から理解できるように、パスロス（ＰＬ）に関する情報は、マスター基地局に提供する電力ヘッドルーム値を計算するためにＵＥが使用するさまざまなパラメータのうちの１つであり、この等式の残りのパラメータのほとんどを認識しているマスター基地局は、ＵＥによって求められるパスロスに関する情報を導くことができる。マスター基地局は、第１の無線リンクのパスロス情報を決定する目的で、電力ヘッドルーム報告に加えて、ＲＳＲＰ（Reference Signal Received Power）やＲＳＲＱ（Reference Signal Received Quality）などのモビリティ測定報告を使用することができる。
【０２０７】
その一方で、マスター基地局は、ＵＥによって求められる、ＵＥとセカンダリ基地局との間の第２の無線リンクのパスロスは認識しておらず、このパラメータも、電力分配比率を更新するうえで重要である。このパスロスに関する情報は、いくつかの方法でマスター基地局に提供することができる。
【０２０８】
当然ながら、第２の無線リンクのパスロスに関する情報は、例えば対応するＭＡＣ制御エレメントまたは別の適切なメッセージにおいて、ＵＥから直接的にマスター基地局に提供することができる。
【０２０９】
これに代えて、ＵＥは、セカンダリ基地局への第２の無線リンクの仮想電力ヘッドルーム報告（仮想電力ヘッドルーム値を含む）を計算して作成することができる。３ＧＰＰによる仮想電力ヘッドルーム報告（Ｖ−ＰＨＲ）の定義では（詳細については背景技術のセクションを参照）、マスター基地局は、ＵＥからＰＨｖｉｒｔｕａｌの値を受信すると、この値からパスロスに関する情報を導くことができる。これとは対照的に通常の電力ヘッドルーム報告では、電力ヘッドルーム値は、マスター基地局には認識されないリソース割当て（すなわち、サブフレームｉの有効なリソースブロックの数で表されるＰＵＳＣＨリソース割当ての帯域幅であるＭＰＵＳＨＣ（ｉ））に基づいて、ＵＥによって計算される。このため、マスター基地局は、通常の電力ヘッドルーム報告からはパスロス情報を導くことができない。背景技術のセクションにおいて概説したように、仮想電力ヘッドルーム（仮想ＰＨ）は、非特許文献３によると、次のように計算される。
ＰＨｖｉｒｔｕａｌ，ｃ（ｉ）＝ＰＣＭＡＸ，Ｈ，ｃ−｛Ｐ０＿ＰＵＳＣＨ（ｊ）＋ａ（ｊ）＋ＰＬｃ＋ｆ（ｉ）｝
パラメータｆ（ｉ）は、ＵＥに固有なＴＰＣコマンドを表し、このコマンドは累積モードまたは絶対モードのいずれかにおいて設定することができる。マスター基地局は、セカンダリ基地局によって送られるＴＰＣコマンドを認識していないため、さらなる代替実施形態においては、セカンダリリンクの仮想電力ヘッドルーム値を計算する場合にｆ（ｉ）を０に設定することができる。
【０２１０】
第２の無線リンクの仮想電力ヘッドルーム報告（Ｖ−ＰＨＲ）をマスター基地局に提供することができ、これによりマスター基地局は、仮想電力ヘッドルーム報告からパスロスに関する情報を導くことができる。例えば、ＵＥが第２の無線リンクの仮想電力ヘッドルーム報告（Ｖ−ＰＨＲ）を通常の電力ヘッドルーム報告とともにマスター基地局に送信するように、通常の電力ヘッドルーム報告方法を修正改良することができる。このことは図２２から理解でき、図２２は、ＰＨＲＭｅＮＢおよび仮想ＰＨＲＳｅＮＢのＭＡＣ制御エレメントを示している。
【０２１１】
このようにして通常の電力ヘッドルーム報告方法が変更され、ＵＥは、３ＧＰＰ標準規格にすでに定義されているように、第１の無線リンクの電力ヘッドルーム報告および第２の無線リンクの電力ヘッドルーム報告を作成して、第１の無線リンクの電力ヘッドルーム報告をマスター基地局に、第２の無線リンクの電力ヘッドルーム報告をセカンダリ基地局に、それぞれ送信するだけではない（通常の電力ヘッドルーム報告については例えば図２３を参照）。これに加えて、ＵＥは、第２の無線リンクの仮想電力ヘッドルーム報告を作成し、それを（好ましくは第１の無線リンクの通常の電力ヘッドルーム報告とともに）（セカンダリ基地局ではなく）マスター基地局に送信する。
【０２１２】
図２１は、このさらなる実施形態による１つの例示的なＵＥの挙動を示している。ＵＥ（より詳細には、マスター基地局への方向へのＭＡＣ機能／プロトコルを扱うＭＡＣエンティティＭＡＣＭｅＮＢ）は、（３ＧＰＰ標準規格リリース１０によってすでに定義されている）マスター基地局に関連付けられるセルのグループの拡張電力ヘッドルーム報告情報と、セカンダリ基地局に関連付けられるセルのグループの仮想電力ヘッドルーム情報とを含む、電力ヘッドルーム報告を生成し、これらをマスター基地局に送信する。図２１に示した例示的な実施例によると、ＵＥ（より詳細にはＭＡＣＳｅＮＢ）は、セカンダリ基地局に関連付けられるセルのグループの拡張電力ヘッドルーム情報を生成し、それをセカンダリ基地局に送信する。なお、すでに上述したように、本発明は、他方の（セカンダリ）無線リンクの仮想電力ヘッドルーム情報がマスター基地局に提供される場合のみに限定されない。マスター基地局に関連付けられるセルのグループの仮想電力ヘッドルーム情報が、セカンダリ基地局に関連付けられるセルのグループの電力ヘッドルーム情報とともにセカンダリ基地局に提供される場合にも、同じ原理を適用することができる。
【０２１３】
図２２に示したように、セカンダリ基地局に関連付けられる仮想電力ヘッドルームは、基本的にはタイプ１の電力ヘッドルーム（ＰＨ）とするべきである。しかしながら、タイプ２の（すなわち基準ＰＵＣＣＨフォーマットに基づく）仮想電力ヘッドルームを含むことも可能である。仮想電力ヘッドルーム（ＰＨ）は、図２２によると、常に、マスター基地局へのリンクの通常の電力ヘッドルーム報告の最後に付加される。
【０２１４】
別の実施形態によると、仮想電力ヘッドルーム情報は、セカンダリ基地局の識別子とともに提供される。このことは、特に、ＵＥが１つのマスター基地局と複数のセカンダリ基地局とに接続されている配備の場合に必要である。識別子を伝える目的には、例えば予約されているビット「Ｒ」やビット「Ｖ」を使用することができる。
【０２１５】
さらなる代替実施形態においては、仮想電力ヘッドルーム報告情報は、個別の電力ヘッドルームＭＡＣ制御エレメントにおいて送信され、このＭＡＣ制御エレメントは、事前定義された識別子（例えば論理チャネルＩＤ）によって識別される。この第２の電力ヘッドルーム報告のフォーマットは、非特許文献２に定義されている電力ヘッドルームＭＡＣ制御エレメントまたは拡張電力ヘッドルームＭＡＣ制御エレメントに似たものとすることができる。
【０２１６】
したがって、１つの具体的な実施例においては、標準の電力ヘッドルーム報告方法を次のように変更することができる。すなわち、マスター基地局への電力ヘッドルーム報告が（例えば報告が周期的であることによって、またはパスロスが大きく変化するなどのイベントによって報告がトリガーされることによって）トリガーされるたびに、ＵＥは、常に、マスター基地局への通常の電力ヘッドルーム報告と、セカンダリ基地局に関連付けられる仮想電力ヘッドルーム報告とを一緒にマスター基地局に送信する。
【０２１７】
要約すると、マスター基地局は、電力分配を更新するうえで必要な情報を、好ましくは定期的に受信する。さらにマスター基地局は、パラメータＰＥＭＡＸ，ＳｅＮＢおよびＰＥＭＡＸ，ＭｅＮＢの更新された値を決定し、それらを、必要に応じて（例えば図１７〜図１９に関連して上に提示および説明したいくつかの代替方法の１つに従って）セカンダリ基地局もしくはＵＥまたはその両方に配信する。
【０２１８】
ここまでは、例えばＵＥが移動してパスロスが変化することによって効率的な電力分配比率が変化し、したがって電力分配比率を更新することが有利であるシナリオの場合に、電力分配比率を更新するステップについて説明してきた。しかしながら、これ以外の状況、例えば、特定の無線リンク（例えば第１の無線リンクまたは第２の無線リンク）がアップリンクにおいて使用されない、または使用不能となるときにも、電力分配比率を更新する。より詳細には、無線リンクは、いくつかの理由によってアップリンクにおいて非アクティブになりうる。例えば、ＵＥは、特定の時間長にわたりダウンリンクデータ（例えばアップリンクリソース割当て）を受信しないことを予測するとき、バッテリを節約するためにＤＲＸ状態に入ることができる（ＤＲＸに関する背景技術の対応する説明部分も参照）。
【０２１９】
別の例は、無線リンクの（少なくともアップリンクにおける）無線リンク障害が発生し（すなわち無線リンクが機能せず、アップリンク送信用にそれ以上使用できない）、したがって無線リンク障害状態に入るときである。少なくとも上記の２つの場合には、２本の無線リンクの一方においてアップリンク送信が行われない、またはアップリンク送信が不可能であるので、その時点の電力分配比率は効率的ではない。なぜなら、使用されない、または使用不能である無線リンクを通じてのアップリンク送信に割り当てられる電力は無駄であり、使用されるまたは使用不能ではない、残っている他方の無線リンクを通じてのアップリンク送信用に電力を使用する方が有利であるためである。以下では、これを達成するための、本開示のさらなる改良形態について説明する。
【０２２０】
最初に、無線リンクがアップリンクにおいて非アクティブになる場合について説明する。ＵＥは、２本の無線リンクを通じてのアップリンク送信を監視しており、したがって、無線リンクがアップリンクにおいて非アクティブになるとき（すなわちＵＥからマスター基地局またはセカンダリ基地局にアップリンク送信が送られないことが予測されるとき）を決定することができる。すでに上述したように、このような場合としてＵＥがＤＲＸモードに入るときが挙げられる。
【０２２１】
より好ましい解決策においては、非常に短い時間だけ無線リンクが非アクティブになることによって電力分配比率の再設定がトリガーされることを回避するため、ＵＥは、無線リンクが非アクティブであることが予測される時間長をさらに決定することができ、無線リンクがアップリンクにおいて非アクティブであることが予測される時間長が特定の時間しきい値を超えるときにのみ、（後述するように）本開示の次のステップに進むことができる。しきい値は、例えば所定の値とする、またはマスター基地局によってＲＲＣを介して設定することができる。
【０２２２】
いずれの場合にも、マスター基地局／セカンダリ基地局にアップリンク送信するための２本の無線リンクが非アクティブになるかを監視しているＵＥは、２本の無線リンクの一方が実際に非アクティブになればそのことを認識する。
【０２２３】
ＵＥが、マスター基地局への第１の無線リンクが（好ましくは所定の時間しきい値よりも長い時間長にわたり）アップリンクにおいて非アクティブになることを認識したと想定すると、このことを（すなわち第１の無線リンクがアップリンクにおいて非アクティブになることを）セカンダリ基地局に知らせる。同様に、ＵＥが、セカンダリ基地局への第２の無線リンクが（好ましくは所定の時間しきい値よりも長い時間長にわたり）アップリンクにおいて非アクティブになることを認識したとき、このことを（すなわち第２の無線リンクがアップリンクにおいて非アクティブになることを）マスター基地局に知らせる。
【０２２４】
ＵＥは、一方の基地局（すなわちマスター基地局／セカンダリ基地局）への無線リンクが非アクティブになることを、以下の方法のうちの少なくとも１つにおいて、他方の基地局（すなわちセカンダリ基地局／マスター基地局）に知らせることができる。
【０２２５】
ＵＥは、この状況を電力ヘッドルーム報告のトリガーとして使用することができ、したがって、対応する所定のフラグが所定の値（例えば「１」）に設定された電力ヘッドルーム報告を作成することができる。受信側の基地局は、無線リンクがアップリンクにおいて非アクティブになることを、この所定の値によって認識することができる。より詳細には、マスター基地局への第１の無線リンクが非アクティブになる場合、ＵＥは、セカンダリ基地局への第２の無線リンクの電力ヘッドルーム報告を作成し、作成した第２の電力ヘッドルーム報告の中のフラグ（例えば、図２３の電力ヘッドルーム報告ＭＡＣ制御エレメントにおける予約されているフラグ「Ｒ」のうちの１つ、またはＶフラグのうちの１つ）を設定する。これに代えて、ＵＥは、セカンダリ基地局への第２の無線リンクの仮想電力ヘッドルーム報告を作成し、このセカンダリ仮想電力ヘッドルーム報告の中のフラグ（例えば、図２０に示した電力ヘッドルーム報告ＭＡＣ制御エレメントの最後の２行におけるＲフラグの一方）を設定する。さらに別の代替方法によると、ＵＥは、セカンダリ基地局への第２の無線リンクの仮想電力ヘッドルーム報告を作成し、このセカンダリ仮想電力ヘッドルーム報告の仮想電力ヘッドルーム値を、特定の所定の値（例えば負の値、なぜなら通常のＶ−ＰＨは負であることはない）に設定する。いずれの場合にも、セカンダリ基地局は、上述した指示情報（すなわちフラグまたは所定のＶ−ＰＨ値）のうちの１つをＵＥから受信し、その情報から、第１の無線リンクがアップリンクにおいて非アクティブになることを導くことができる。
【０２２６】
逆に、セカンダリ基地局への第２の無線リンクが非アクティブになる場合、ＵＥは、マスター基地局への第１の無線リンクの電力ヘッドルーム報告を作成し、作成した第１の電力ヘッドルーム報告の中のフラグ（例えば、図２２の最初の５行に示した電力ヘッドルーム報告ＭＡＣ制御エレメントにおける予約されているフラグ「Ｒ」のうちの１つ、またはＶフラグのうちの１つ）を設定する。これに代えて、ＵＥは、ＵＥとセカンダリ基地局との間の第２の無線リンクの仮想電力ヘッドルーム報告を作成し（この仮想電力ヘッドルーム報告は、上述したように第２の無線リンクのパスロスに関する情報をマスター基地局に提供する場合にも使用される）、このセカンダリ仮想電力ヘッドルーム報告の中のフラグ（例えば、図２２に示した電力ヘッドルーム報告ＭＡＣ制御エレメントの最後の行におけるＲフラグまたはＶフラグ）を設定する。さらに別の代替方法によると、ＵＥは、ＵＥとセカンダリ基地局との間の第２の無線リンクの仮想電力ヘッドルーム報告を作成し、このセカンダリ仮想電力ヘッドルーム報告の仮想電力ヘッドルーム値を、特定の所定の値（例えば負の値）に設定する。なお、この場合、セカンダリ仮想電力ヘッドルーム値によってマスター基地局が第２の無線リンクのパスロスに関する情報を導くことはできないことに留意されたい。いずれの場合にも、マスター基地局は、上述した指示情報（すなわちフラグまたは所定のＶ−ＰＨ値）のうちの１つをＵＥから受信し、その情報から、第２の無線リンクがアップリンクにおいて非アクティブになることを導くことができる。
【０２２７】
要約すると、ＵＥは、一方の基地局（すなわちマスター基地局／セカンダリ基地局）への無線リンクが非アクティブになることを、何らかの方法で、他方の基地局（すなわちセカンダリ基地局／マスター基地局）に知らせる。セカンダリ基地局／マスター基地局は、受信した指示情報を使用することで、ＵＥによるアップリンク送信用の出力電力すべてが、「アクティブ」のままである無線リンクを通じてのアップリンク送信に割り当てられるように、電力分配比率を更新することができる。すなわち、マスター基地局への第１の無線リンクがアップリンクにおいて非アクティブになることがセカンダリ基地局に通知されたときには、セカンダリ基地局は、ＰＥＭＡＸ，ＳｅＮＢ＝ＰＣＭＡＸ（またはＰＣＭＡＸ＿Ｌ）という関係からＰＥＭＡＸ，ＳｅＮＢの新しい値を決定し、その値を（例えばＭＡＣ制御エレメントにおいて）ＵＥに送信し、したがってＵＥは、セカンダリ基地局へのアップリンク送信用にその新しい値を適用する。同様に、セカンダリ基地局への第２の無線リンクがアップリンクにおいて非アクティブになることがマスター基地局に通知されたときには、マスター基地局は、ＰＥＭＡＸ，ＭｅＮＢ＝ＰＣＭＡＸ（またはＰＣＭＡＸ＿Ｌ）という関係からＰＥＭＡＸ，ＭｅＮＢの新しい値を決定し、その値を（例えばＭＡＣ制御エレメントにおいて）ＵＥに送信し、したがってＵＥは、マスター基地局へのアップリンク送信用にその新しい値を適用する。
【０２２８】
しかしながら、このように無線リンクが非アクティブになる状況は、通常では一時的なものであるため、最終的には電力分配比率を前の比率に戻さなければならない。そのために、当然ながらＵＥは、電力分配比率の再度の再設定をトリガーするため、一方の基地局（すなわちマスター基地局／セカンダリ基地局）への無線リンクが再びアクティブになることを、さきほど説明した方法に類似する方法において、他方の基地局（すなわちセカンダリ基地局／マスター基地局）にもう一度知らせることができる。
【０２２９】
しかしながら、本開示の別の改良形態によると、無線リンクがアップリンクにおいて再びアクティブになるときにＵＥがもう一度通知するこのステップを、セカンダリ基地局／マスター基地局における対応するタイマを使用することによって、回避する。より詳細には、再設定された電力分配比率は、セカンダリ基地局およびマスター基地局の中に実装される電力制御タイマによって設定される特定の時間長の間のみ有効であるものとする。この電力制御タイマが切れた後には、再設定の前の電力分配が再び適用されるものとする。詳細には、電力制御タイマは、セカンダリ基地局およびマスター基地局の中に実装され、無線リンクが非アクティブになることに関する指示情報をセカンダリ基地局／マスター基地局が受信して電力出力の新しい更新された値を計算してそれをＵＥに送るときに、トリガーされる。電力制御タイマが切れた時点で、セカンダリ基地局／マスター基地局は、電力分配比率を、再設定する前に適用されていた比率に戻し、このように元に戻した電力パラメータＰＥＭＡＸ，ＳｅＮＢ／ＰＥＭＡＸ，ＭｅＮＢをもう一度ＵＥに送信する。
【０２３０】
電力制御タイマの値は、事前に設定する、またはより好ましくは、ＵＥによって指定することができる。具体的には、ＵＥは、無線リンクがアップリンクにおいて非アクティブになることを認識したとき、その無線リンクがアップリンクにおいて非アクティブであることが予測される時間長をさらに決定することができる。次いで、ＵＥは、非アクティブであることが予測される時間長をセカンダリ基地局またはマスター基地局に知らせ、セカンダリ基地局およびマスター基地局は、この情報を使用して自身の電力制御タイマを設定することができる。有利な一実施例によると、ＵＥは、非アクティブであることが予測される時間長を、セカンダリ仮想電力ヘッドルーム報告の仮想電力ヘッドルーム値に符号化することができる。例えば、この仮想電力ヘッドルーム値は、第１の無線リンクまたは第２の無線リンクが非アクティブになることを（例えば負の仮想電力ヘッドルーム値を使用することによって）符号化するのみならず、非アクティブであることが予測される時間長も（例えば別の特定の負の仮想電力ヘッドルーム値を使用することによって）符号化する。
【０２３１】
したがって、上に説明したように、無線リンクがアップリンクにおいて非アクティブになるときには、ＵＥが自身のＵＥ電力リソース全体を、依然としてアクティブな他方の無線リンクに使用することができるように、ＵＥの電力分配が再設定される。
【０２３２】
無線リンクに障害が発生する（すなわち無線リンクがアップリンク（またはダウンリンク）送信用にもはや使用できない）状況にも、類似する方法において対処する。ＵＥは、障害が発生していないか無線リンクを監視しており、したがって２本の無線リンクの一方の無線リンク障害が実際に発生すればそのことを認識する。その場合、ＵＥは、無線リンク障害について、他方の基地局に知らせる。すなわちＵＥは、セカンダリ基地局への第２の無線リンクの無線リンク障害の場合にはマスター基地局に知らせ、マスター基地局への第１の無線リンクの無線リンク障害の場合にはセカンダリ基地局に知らせる。
【０２３３】
ＵＥは、第１の無線リンク／第２の無線リンクの無線リンク障害について、例えば、無線リンクがアップリンクにおいて非アクティブになる上述した場合に行われる方法と同様の方法において、セカンダリ基地局／マスター基地局に知らせることができる。これに関連して、さまざまな（仮想）電力ヘッドルーム報告のさまざまなＲフラグまたはＶフラグ、あるいは（負の）仮想電力ヘッドルーム値を再利用する方法については、不必要な繰り返しを避けるため、上の説明を参照されたい。
【０２３４】
要約すると、ＵＥは、マスター基地局／セカンダリ基地局への無線リンクの無線リンク障害について、何らかの方法でセカンダリ基地局／マスター基地局に知らせる。セカンダリ基地局／マスター基地局は、受信した指示情報を使用することで、ＵＥによるアップリンク送信用の出力電力すべてが、機能している無線リンクを通じてのアップリンク送信に割り当てられるように、電力分配比率を更新することができる。詳細には、第１の無線リンクの無線リンク障害がセカンダリ基地局に通知されたときには、セカンダリ基地局は、ＰＥＭＡＸ，ＳｅＮＢ＝ＰＣＭＡＸ（またはＰＣＭＡＸ＿Ｌ）という関係からＰＥＭＡＸ，ＳｅＮＢの新しい値を決定し、その値を（例えばＭＡＣ制御エレメントにおいて）ＵＥに送信し、したがってＵＥは、セカンダリ基地局へのアップリンク送信用にその新しい値を適用する。逆に、第２の無線リンクの無線リンク障害がマスター基地局に通知されたときには、マスター基地局は、ＰＥＭＡＸ，ＭｅＮＢ＝ＰＣＭＡＸ（またはＰＣＭＡＸ＿Ｌ）という関係からＰＥＭＡＸ，ＭｅＮＢの新しい値を決定し、その値を（例えばＭＡＣ制御エレメントにおいて）ＵＥに送信し、したがってＵＥは、マスター基地局へのアップリンク送信用にその新しい値を適用する。
【０２３５】
さらには、セカンダリ基地局／マスター基地局は、無線リンク障害についての指示情報をＵＥから受信したとき、その無線リンク障害を解決するための適切な手順を開始することができる。例えば、マスター基地局は、第２の無線リンクの無線リンク障害を知らされたとき、セカンダリ基地局を介していた無線ベアラを、マスター基地局を介する無線ベアラに変更することができ、あるいは、ＵＥが接続する別のセカンダリ基地局を決定することができる。これらの手順の詳細については、従来技術においてすでに公知であり、したがって当業者に公知であるため、ここでは説明を省く。
【０２３６】
これに対して、セカンダリ基地局が第１の無線リンクの無線リンク障害について知らされたときには、セカンダリ基地局は、自身が新しいマスター基地局となるように再設定またはハンドオーバーを実行することができる。この手順の詳細については、従来技術においてすでに公知であり、したがって当業者に公知であるため、ここでは説明を省く。その後、無線リンク障害が解決されたか、およびどのように解決されたかに応じて、電力分配比率を再び更新することができる。ＵＥの電力分配を適切に設定するため、新しいパラメータＰＥＭＡＸ，ＳｅＮＢもしくはＰＥＭＡＸ，ＭｅＮＢまたはその両方を決定し、それらをＵＥもしくはマスター基地局／セカンダリ基地局またはその両方にもう一度提供する。
【０２３７】
ハードウェアおよびソフトウェア実装
本開示の別の実施形態は、上述したさまざまな実施形態を、ハードウェアおよびソフトウェア、またはハードウェアのみを使用して実施することに関する。これに関連して、本開示は、ＵＥ（移動端末）と、マスターｅＮｏｄｅＢ（基地局）およびセカンダリｅＮｏｄｅＢ（基地局）とを提供する。本ＵＥおよび本基地局は、本発明の方法を実行する。
【０２３８】
本開示のさまざまな実施形態は、コンピューティングデバイス（プロセッサ）を使用して実施または実行することができる。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、または、その他プログラマブルロジックデバイスなどである。さらに、無線送信器、無線受信器、およびその他の必要なハードウェアを、装置（ＵＥ、マスター基地局、セカンダリ基地局）内に設けることができる。本開示のさまざまな実施形態は、これらのデバイスの組合せによって実行または具体化することもできる。
【０２３９】
さらに、本開示のさまざまな実施形態は、ソフトウェアモジュールによっても実施され得る。これらのソフトウェアモジュールは、プロセッサによって実行され、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。
【０２４０】
さらには、本開示の複数の異なる実施形態の個々の特徴は、個別に、または任意の組合せにおいて、別の実施形態の主題とすることができることに留意されたい。
【０２４１】
具体的な実施形態に示した本開示には、広義に記載されている本開示の概念または範囲から逸脱することなく、さまざまな変更もしくは修正またはその両方を行うことができることが、当業者には理解されるであろう。したがって、本明細書に示した実施形態は、あらゆる点において例示的であり、本発明を制限するものではないものとみなされる。
【図１】
2018191330.tif 000004
【図２】
2018191330.tif 000005
【図３】
2018191330.tif 000006
【図４】
2018191330.tif 000007
【図５】
2018191330.tif 000008
【図６】
2018191330.tif 000009
【図７】
2018191330.tif 000010
【図８】
2018191330.tif 000011
【図９】
2018191330.tif 000012
【図１０】
2018191330.tif 000013
【図１１】
2018191330.tif 000014
【図１２】
2018191330.tif 000015
【図１３】
2018191330.tif 000016
【図１４】
2018191330.tif 000017
【図１５Ａ】
2018191330.tif 000018
【図１５Ｂ】
2018191330.tif 000019
【図１５Ｃ】
2018191330.tif 000020
【図１６】
2018191330.tif 000021
【図１７】
2018191330.tif 000022
【図１８】
2018191330.tif 000023
【図１９】
2018191330.tif 000024
【図２０】
2018191330.tif 000025
【図２１】
2018191330.tif 000026
【図２２】
2018191330.tif 000027
【図２３】
2018191330.tif 000028